(57)【要約】【課題】  耐候性、耐荷重性及び作業性に優れた法面補強体、並びに法面構造及び法眼面構造工法を提供する。【解決手段】  中詰材を充填してなる複数の円筒金網籠１を隣接して並設し、隣接する複数の円筒金網籠１でなる金網籠群Ａを結束チェーン２にて隣接して複数区画する。結束チェーン２を各金網籠群Ａ外縁周に巻回し、巻回した結束チェーン２両端側にチェーン締付具３を連結する。チェーン締付具３にて各金網籠群Ａ外縁周に巻回した結束チェーン２を締付けて各金網籠群Ａの各円筒金網籠１を緊縛する。連結チェーン４を各金網籠群Ａに連結して、各円筒金網籠１を一体化してなる法面補強体を構成する。【選択図】  図１
2015193998.tif 000002
【特許請求の範囲】
【請求項１】
割栗石等の中詰材を充填し、隣接して並設される複数の円筒金網籠と、
隣接する複数の前記円筒金網籠でなる金網籠群を隣接して複数区画し、前記各金網籠群外縁周に巻回される複数の結束チェーンと、
前記各金網籠群外縁周に巻回した前記結束チェーン両端側に連結され、前記各結束チェーンを締付けて前記各金網籠群の前記各円筒金網籠を緊縛する複数のチェーン締付具と、
隣接する前記各金網籠群を連結する連結チェーンと
を備えてなることを特徴とする法面補強体。
【請求項２】
隣接する前記金網籠群は、
隣接する一又は複数の前記円筒金網籠を共用し、及び共用円筒金網籠を含む複数の前記円筒金網籠に区画され、
前記各結束チェーンは、
前記連結チェーンとして兼用され、
前記共用円筒金網籠を含む前記各金網籠群外縁周に巻回される
ことを特徴とする請求項１に記載の法面補強体。
【請求項３】
複数の前記円筒金網籠は、
隣接して一列に配列される
ことを特徴とする請求項１又は２に記載の法面補強体。
【請求項４】
隣接する前記金網籠群間にて、前記各金網籠群の前記円筒金網籠に隣接して並設され、前記中詰材を充填してなる第一及び第二分割円筒金網籠を備え、
前記第二分割円筒金網籠は、
前記第一分割円筒金網籠に積載され、
前記連結チェーンは、
積層した前記各分割円筒金網籠にて挟持され、隣接する前記金網籠群外縁周に巻回した前記結束チェーンの夫々に連結される
ことを特徴とする請求項１に記載の法面補強体。
【請求項５】
複数の前記円筒金網籠は、
隣接して第一及び第二列に配列され、
前記第一分割円筒金網籠は、
前記第一列に配列され、及び前記各列の前記円筒金網籠に隣接して並設され、
前記第一列の前記各円筒金網籠は、
前記第一分割円筒金網籠を基準とする前記第一列両端側に一又は複数隣接して並列され、
前記各結束チェーンは、
前記第一分割円筒金網籠を基準とする前記各列両端側の夫々にて、前記各列で隣接する複数の前記円筒金網籠でなる第一及び第二金網籠群を隣接区画し、前記第一及び第二金網籠群外縁周に巻回される
ことを特徴とする請求項４に記載の法面補強体。
【請求項６】
前記第一及び第二の前記各円筒金網籠、及び前記各分割円筒金網籠は、
隣接して千鳥配列される
ことを特徴とする請求項５に記載の法面補強体。
【請求項７】
前記第一及び第二金網籠群外縁周に巻回した前記各結束チェーンは、
積層した前記第一及び第二分割円筒金網籠間に配置され、前記各分割円筒金網籠にて挟持される
ことを特徴とする請求項６に記載の法面補強体。
【請求項８】
前記連結チェーンは、
積載した前記第一及び第二分割円筒金網籠間にて、前記各金網籠群外縁周に巻回した前記結束チェーンの夫々に連結される
ことを特徴とする請求項７に記載の法面補強体。
【請求項９】
地盤に複数段積載し及び各段にて隣接して複数並設され、割栗石等の中詰材を充填してなる複数の円筒金網籠と、
前記各段において、隣接する一又は複数の前記円筒金網籠を共用し、及び共用円筒金網群を含む複数の前記円筒金網籠でなる金網籠群を隣接して複数区画し、前記各金網籠群外縁周に巻回される複数の結束チェーンと、
前記各段において、前記各金網籠群外縁周に巻回した前記結束チェーン両端側に連結され、前記各結束チェーンを締付けて前記各金網籠群の前記各円筒金網籠を緊縛する複数のチェーン締付具と、
前記各段において、前記各金網群背面に施される盛土と、
を備えてなることを特徴とする法面構造。
【請求項１０】
地盤に複数段積載し及び各段にて隣接して並設され、割栗石等の中詰材を充填してなる複数の円筒金網籠と、
前記各段に配置され、前記中詰材を充填してなる第一及び第二分割円筒金網籠と、
前記各段に配置される複数の結束チェーンと、
前記各段に配置され、前記各結束チェーンを締付ける複数のチェーン締付金具と、
前記各段に配置される複数の連結チェーンと、
前記各段に施される盛土と、
を備え、
前記各段において、複数の前記円筒金網籠は、隣接して第一及び第二列に配列され、
前記各段において、前記第一分割円筒金網籠は、前記第一列に配列され、及び前記各列の前記各円筒金網籠に隣接して並設され、
前記各段において、前記第一列の前記各円筒金網籠は、前記第一分割円筒金網籠を基準とする第一列両端側の夫々に一又は複数隣接して並設され、
前記各段において、前記各結束チェーンは、前記第一分割円筒金網籠を基準とする前記各列両端側の夫々にて、前記各列で隣接する複数の前記円筒金網籠でなる第一及び第二金網籠群を隣接区画し、前記各金網籠群外縁周に巻回され、
前記各段において、前記各チェーン締付具は、前記各金網籠群外縁周に巻回した前記結束チェーン両端側に連結され、前記各結束チェーンを締付けて前記各金網籠群の前記各円筒金網籠を緊縛し、
前記各段において、前記各連結チェーンは、前記第一分割円筒金網籠上に配置され、前記各金網籠群外縁周に巻回した前記結束チェーンの夫々に連結され、
前記各段において、前記第二分割円筒金網籠は、前記第一分割円筒金網籠に積載され、前記第一分割円筒金網籠とで前記連結チェーンを挟持し、
前記各段において、前記盛土は、前記第一列の前記各円筒金網籠背面及び積載した前記各分割円筒金網籠背面に施される
ことを特徴とする法面構造。
【請求項１１】
複数の円筒金網籠を組立てつつ前記各円筒金網籠に割栗石等の中詰材を充填する金網籠組立工程と、
複数の前記円筒金網籠を隣接して並設する金網籠据付工程と、
隣接する一又は複数の前記円筒金網籠を共用し、及び共用円筒金網籠を含む複数の前記円筒金網籠でなる金網籠群を複数の結束チェーンにて隣接して複数区画し、前記各結束チェーンを前記各金網籠群外縁周に巻回するチェーン巻回工程と、
前記各金網籠群外縁周に巻回した前記結束チェーン両端側にチェーン締付具を連結し、前記各チェーン締付具にて前記各結束チェーンを締付けつつ前記各金網籠群の前記各円筒金網籠を緊縛する金網籠緊縛工程と、
前記各金網籠群背面に盛土を施す盛土工程と、
を含み、
前記金網籠据付工程、前記チェーン巻回工程、前記金網籠緊縛工程及び前記盛土工程を繰返して、複数の前記円筒金網籠を地盤に複数段積載してなる法面構造を構築する
ことを特徴とする法面構造工法。
【請求項１２】
複数の円筒金網籠を組立てつつ前記各円筒金網籠に割栗石等の中詰材を充填する金網籠組立工程と、
第一及び第二分割円筒金網籠を組立てつつ前記各分割円筒金網籠に前記中詰材を充填する分割金網籠組立工程と、
複数の前記円筒金網籠及び前記第一分割円筒金網籠を隣接して第一列に配列し、前記第一分割円筒金網籠を基準とする第一列両端側に一又は複数の前記円筒金網籠を隣接して並設し、複数の前記円筒金網籠を隣接して第二列に配列し、前記第一及び第二列の前記各円筒金網籠及び前記第一分割円筒金網籠を隣接して並設する金網籠据付工程と、
前記第一分割円筒金網籠を基準とする前記各列両端側の夫々にて、前記各列で隣接する複数の前記円筒金網籠でなる第一及び第二金網籠群を複数の結束チェーンにて隣接区画し、前記各結束チェーンを前記各金網籠群外縁周に巻回するチェーン巻回工程と、
前記各金網籠群外縁周に巻回した前記結束チェーン両端側にチェーン締付具を連結し、前記各チェーン締付具にて前記各結束チェーンを締付けつつ前記各金網籠群の前記各円筒金網籠を緊縛する金網籠緊縛工程と、
前記第一分割円筒金網籠上に連結チェーンを配置して、前記連結チェーンを前記各金網籠群に巻回した前記結束チェーンの夫々に連結するチェーン連結工程と、
前記第一分割円筒金網籠に前記第二分割円筒金網籠を積載し、前記各分割円筒金網籠にて前記連結チェーンを挟持するチェーン挟持工程と、
前記第一列の前記各円筒金網籠背面及び積載した前記各分割円筒金網籠背面に盛土を施す盛土工程と、
を含み、
前記金網籠据付工程、前記チェーン巻回工程、前記金網籠緊縛工程、前記チェーン連結工程、前記チェーン挟持工程及び前記盛土工程を繰返して、複数の前記円筒金網籠、前記第一及び第二分割円筒金網籠を地盤に複数積載してなる法面構造を構築する
ことを特徴とする法面構造工法。
【請求項１３】
割栗石等の中詰材を充填し、隣接して並設される複数の円筒金網籠と、
隣接する複数の前記円筒金網籠でなる金網籠群を隣接して複数区画し、前記各金網籠群外縁周に巻回される複数の結束金属線材と、
前記各金網籠群外縁周に巻回した前記結束金属線材両端側に連結され、前記各結束金属線材を締付けて前記各金網籠群の前記各円筒金網籠を緊縛する複数の線材締付具と、
隣接する前記各金網籠群を連結する連結金属線材と
を備えてなることを特徴とする法面補強体。
【発明の詳細な説明】
【技術分野】
【０００１】
本発明は、崩壊した河川護岸等の復旧、及び法面構造を構築する法面補強体、並びに法面構造、及び法面構造工法に関する。
【背景技術】
【０００２】
法面補強体として、特許文献１は、用土を充填した複数の土嚢を備え、各土嚢を地盤に隣接して並設する技術を開示する。複数の土嚢は、ポリプロピレン性の袋体、複数の環状補強帯、複数の吊り下げ帯等で構成され、各環状補強帯及び各吊り下げ帯を交叉部で袋体に縫着してなる、各環状補強帯及び各吊り下げ帯は、合成繊維又は天然素材で形成される。
【０００３】
特許文献１では、複数の土嚢を地盤に隣接して並設し、吊り下げ帯を切断して結合ロープとする。各結合ロープを隣接する土嚢の分離部に結んで隣接する土嚢を連結する。
また、従来からの法面補強体としては、割栗石等の中詰材を充填してなる布団金網籠（直方金網籠）を複数並設する技術がある。一般的に、布団金網籠は、クレーン等の土木建機にて水平地に吊下げ搬送されて地盤に複数並設される。
【先行技術文献】
【特許文献】
【０００４】
【特許文献１】特開２００４―８４１８３号公報
【発明の概要】
【発明が解決しようとする課題】
【０００５】
しかしながら、特許文献１では、袋体をポリプロピレンで形成し、各環状補強帯及び各吊り下げ帯（結合ロープ）を合成繊維素材等で形成しているので、降雨や日照等の天候に起因して短時間で袋体及び結合ロープが腐食、破損する虞があり、耐候性に問題がある。
また、袋体背面に施される用土の土圧により袋体が変形、破損し、結合ロープが破断する虞があり、耐荷重性に問題がある。
更に、隣接する土嚢を連結するには、袋体に縫着された吊り下げ帯を切断して複数の結合ロープとし、各結合ロープを隣接する土嚢の分離部に結ぶ必要があり、作業性に劣るものとなる。
また、布団金網籠を隣接して並設定する法面補強体では、吊下げ搬送の際、直方体籠であるため割栗石等の中詰材の重量が偏って作用し、中詰材の重量によって変形する虞がある。このため、布団金網籠の変形の対策のため固定枠を施す必要があり、金網籠を地盤に据付ける作業性に劣る。
【０００６】
本発明は、耐候性、耐荷重性及び作業性に優れた法面補強体、並びに法面構造及び法面構造工法を提供することにある。
【課題を解決するための手段】
【０００７】
発明に係る請求項１は、割栗石等の中詰材を充填し、隣接して並設される複数の円筒金網籠と、隣接する複数の前記円筒金網籠でなる金網籠群を隣接して複数区画し、前記各金網籠群外縁周に巻回される複数の結束チェーンと、前記各金網籠群外縁周に巻回した前記結束チェーン両側に連結され、前記各結束チェーンを締付けて前記各金網籠群の前記各円筒金網籠を緊縛するチェーン締付具と、隣接する前記各金網籠群を連結する連結チェーンを備えてなることを特徴とする法面補強体である。
【０００８】
本発明に係る請求項２は、隣接する前記金網籠群は、隣接する一又は複数の前記円筒金網籠を共用し、及び共用円筒金網籠を含む複数の前記円筒金網籠に区画され、前記各結束チェーンは、前記連結チェーンとして兼用され、前記共用円筒金網籠を含む前記各金網籠群外縁周に巻回されることを特徴とする請求項１に記載の法面補強体である。
【０００９】
本発明に係る請求項３は、複数の前記円筒金網籠は、隣接して一列に配列されることを特徴とする請求項１又は２に記載の法面補強体である。
【００１０】
本発明に係る請求項４は、隣接する前記金網籠群間にて、前記各金網籠群に隣接して並設され、前記中詰材を充填してなる第一及び第二分割円筒金網籠を備え、前記第二分割円筒金網籠は、前記第一分割金網籠に積載され、前記連結チェーンは、積載した前記各分割円筒金網籠にて挟持され、隣接する前記金網籠群外縁周に巻回した前記結束チェーンに連結されることを特徴とする請求項１に記載の法面補強体である。
【００１１】
本発明に係る請求項５は、複数の前記円筒金網群は、隣接して第一及び第二列に配列され、前記第一分割円筒金網籠は、前記第一列に配列され、及び前記各列の前記円筒金網籠に隣接して並設され、前記第一列の前記各円筒金網籠は、前記第一分割円筒金網籠を基準とする前記第一列両端側に一又は複数隣接して並設され、前記各結束チェーンは、前記第一分割課網籠を基準とする前記各列両端側にて、前記各列で隣接する複数の前記円筒金網籠でなる第一及び第二金網籠を隣接区画し、前記第一及び第二金網籠群外縁周に巻回されることを特徴とする請求項４に記載の法面補強体である。
【００１２】
本発明に係る請求項６は、前記第一及び第二列の前記各円筒金網籠、及び前記各分割円筒金網籠は、隣接して千鳥配列されることを特徴とする請求項５に記載の法面補強体である。
【００１３】
本発明に係る請求項７は、前記第一及第二金網籠群外縁周に巻回した前記各結束チェーンは、積載した前記第一及び第二分割円筒金網籠間に配置され、前記各分割円筒金網籠にて挟持されることを特徴とする請求項６に記載の法面補強体である。
【００１４】
本発明に係る請求項８は、前記連結チェーンは、積載した前記第一及び第二分割円筒金網籠間にて、前記各金網籠群外縁周に巻回した前記結束チェーンの夫々に連結されることを特徴とする請求項７に記載の法面補強体である。
【００１５】
本発明に係る請求項９は、地盤に複数段積載し及び各段にて隣接して並設され、割栗石等の中詰材を充填してなる複数の円筒金網籠と、前記各段において、隣接する一又は複数の前記円筒金網籠を共用し、及び共用円筒金網籠を含む複数の前記円筒金網籠でなる金網籠群を隣接して複数区画し、前記各金網籠群外縁周に巻回される複数の結束チェーンと、前記各段において、前記各金網籠群外縁周に巻回した前記結束チェーン両端側に連結され、前記各結束チェーンを締付けて前記各金網籠群の前記各円筒金網籠を緊縛する複数のチェーン締付具と、前記各段において、前記各金網籠群背面に施される盛土と、を備えてなることを特徴とする法面構造である。
【００１６】
本発明に係る請求項１０は、地盤に複数段積載し及び各段にて隣接して並設され、割栗石等の中詰材を充填してなる複数の円筒金網籠と、前記各段に配置され、前記中詰材を充填してなる第一及び第二分割円筒金網籠と、前記各段に配置される複数の結束チェーンと、前記各段に配置され、前記各結束チェーンを締付ける複数のチェーン締付具と、前記各段に配置される複数の連結チェーンと、前記各段に施される盛土と、を備え、前記各段において、複数の前記円筒金網籠は、隣接して第一及び第二列に配列され、前記各段において、前記第一分割円筒金網籠は、前記第一列に配列され、及び前記各列の前記各円筒金網籠に隣接して並設され、前記各段にて、前記各結束チェーンは、前記第一分割円筒金網籠を基準とする前記各列両端側の夫々において、前記各列で隣接する複数の前記円筒金網籠でなる第一及び第二金網籠群を隣接区画し、前記各金網籠群外縁周に巻回され、前記各段において、前記各チェーン締付具は、前記各金網籠群外縁周に巻回した前記結束チェーン両端側に連結され、前記各結束チェーンを締付けて前記各金網籠群の前記各円筒金網籠を緊縛し、前記各段において、前記各連結チェーンは、前記第一分割円筒金網群上に配置され、前記各金網籠群外縁周に巻回した前記結束チェーンの夫々に連結され、前記各段において、前記第二分割円筒金網籠は、前記第一分割円筒金網籠に積載され、前記第一分割円筒金網籠とで前記連結チェーンを挟持し、前記各段において、前記盛土は、前記第一列の前記円筒金網籠背面及び前記積載した前記各分割円筒金網籠背面に施されることを特徴とする法面構造である。
【００１７】
本発明に係る請求項１１は、複数の円筒金網籠を組立てつつ前記各円筒金網籠に割栗石等の中詰材を充填する金網組立工程と、複数の前記円筒金網籠を隣接して並設する金網籠据付工程と、隣接する一又は複数の前記円筒金網籠を共用し、及び共用円筒金網籠を含む複数の前記円筒金網籠でなる金網籠群を複数の結束チェーンにて隣接して複数区画し、前記各結束チェーンを前記各金網籠群外縁周に巻回するチェーン巻回工程と、前記各金網籠群外縁周に巻回した前記結束チェーン両端側にチェーン締付具を連結し、前記各チェーン締付具にて前記各結束チェーンを締付けつつ前記各金網籠群の前記各円筒金網籠を緊縛する金網籠緊縛工程と、前記各金網籠群背面に盛土を施す盛土工程と、を含み、前記金網籠据付工程、前記チェーン巻回工程、前記金網籠緊縛工程及び前記盛土工程を繰返して、複数の前記円筒金網籠を地盤に複数段積載してなる法面構造を構築することを特徴とする法面構造工法である。
【００１８】
本発明に係る請求項１２は、複数の円筒金網籠を組立てつつ前記各円筒金網籠に割栗石等の中詰材を充填する金網籠組立工程と、第一及び第二分割円筒金網籠を組立てつつ前記各分割円筒金網籠に前記中詰材を充填する分割金網籠組立工程と、複数の前記円筒金網籠及び前記第一分割円筒金網籠を第一列に配列し、前記第一分割円筒金網籠を基準とする前記第一列両端側に一又は複数の前記円筒金網籠を隣接して並設し、複数の前記円筒金網籠を第二列に配列し、前記第一及び第二列の前記各円筒金網籠及び前記第一分割円筒金網籠を隣接して並設する金網据付工程と、前記第一分割円筒金網籠を基準とする前記各列両端側の夫々にて、前記各列で隣接する複数の前記円筒金網籠でなる第一及び第二金網籠群を複数の結束チェーンにて隣接区画し、前記各結束チェーンを前記各円筒金網籠外縁周に巻回するチェーン巻回工程と、前記各金網籠群外縁周に巻回した前記結束チェーン両端側にチェーン締付具を連結し、前記各チェーン締付具にて前記各結束チェーンを締め付けつつ前記各金網籠群の前記各円筒金網籠を緊縛する金網籠緊縛工程と、前記第一分割円筒金網籠上に連結チェーンを配置し、前記連結チェーンを前記各金網籠群外縁周に巻回した前記結束チェーンの夫々に連結するチェーン連結工程と、前記第一分割円筒金網籠に前記第二分割円筒金網を積載し、前記各分割円筒金網にて前記連結チェーンを挟持するチェーン挟持工程と、前記第一列の前記各円筒金網籠背面及び積載した前記各分割円筒金網籠背面に盛土を施す盛土工程と、を含み、前記金網籠据付工程、前記チェーン巻回工程、前記金網籠緊縛工程、前記チェーン連結工程、前記チェーン挟持工程及び前記盛土工程を繰返して、複数の前記円筒金網籠、前記第一及び第二分割円筒金網籠を複数段積載してなる法面構造を構築することを特徴とする法面構造工法である。
【００１９】
本発明に係る請求項１３は、割栗石等の中詰材を充填し、隣接して並設される複数の円筒金網籠と、隣接する複数の前記円筒金網籠でなる金網群を隣接して複数区画し、前記各金網籠群外縁周に巻回される複数の結束金属線材と、前記各金網籠群外縁周に巻回した前記結束金属線材両端側に連結され、前記各結束金属線材を締付けて前記各金属籠群の前記各円筒金網籠を緊縛する複数の線材締付具と、を備えてなることを特徴とする法面補強体である。
【発明の効果】
【００２０】
本発明に係る請求項１では、円筒金網籠、結束チェーン及び連結チェーンにて法面補強体を構成するので、天候等に起因する円筒金網籠及び各チェーンの腐食、劣化を長期間に渡って抑制でき、優れた耐候性となる。また、円筒金網籠背面に施される盛土の土圧を受けても、円筒金網籠及の変形、破損を防止でき、結束チェーン及び連結チェーンの破断も防止できる。
本発明に係る請求項１では、結束チェーンを各金網群外縁周に巻回し、各結束チェーンをチェーン締付具にて締付けることで、各金網籠群の各円筒金網籠を緊縛（結束）でき、更に連結チェーンを隣接する各金網籠群に連結することで、各円筒金網籠を一体にできる。
本発明に係る請求項１では、各結束チェーンを各金網籠群外円周に巻回してチェーン締付具にて各結束チェーンを締付けて各金網籠の各円筒金網籠を緊縛（結束）するとともに、連結チェーンにて各金網籠群を連結するだけで、各円筒金網籠を一体化でき、作業性を向上できる。
【００２１】
本発明に係る請求項２では、請求項１の効果に加え、複数の結束チェーン、連結チェーンにて、隣接して一列に配列される複数の円筒金網籠を一体化できる。
【００２２】
本発明に係る請求項３では、請求項１の効果に加え、共用円筒金網籠を含む複数の円筒金網籠でなる各金網籠群外縁周に結束チェーンを巻回するだけで、隣接する金網籠群を連結し、各円筒金網籠を一体化にできる。各結束チェーンは、共用円筒金網籠にて各金網籠群にオーバーラップして隣接する金網籠群外縁周に巻回される。
【００２３】
本発明に係る請求項４では、請求項１の効果に加え、結束チェーンを巻回した各金網籠群を連結チェーンにて連結して、各円筒金網籠を一体化でき、更に連結チェーンを積載した第一及び第二分割円筒金網籠にて挟持することで、連結チェーンを第二分割円筒籠及び中詰材の重量にて固定できる。
【００２４】
本発明に係る請求項５では、請求項４の効果に加え、第一及び第二列で隣接する複数の円筒金網籠でなる金網籠群を連結チェーンにて連結して、第一及び第二列の各円筒金網籠を一体化できる。
【００２５】
本発明に係る請求項６では、請求項５の効果に加え、第一及び第二の各円筒金網籠及び第一分割円筒金網籠を隣接して千鳥配列すると、第一列Ｒ１の各円筒金網籠及び第一分割円筒金網籠は、第二列の各円筒金網籠間に配置され、第二列の隣接する各円筒金網籠は、各円筒金網籠間に配置される第一列の各円筒金網籠及び第一分割円筒金網籠に隣接される。これにより、第一及び第二列の各円筒金網籠、及び第一分割円筒金網籠の並設面積を最小にできる。
【００２６】
本発明に係る請求項７は、請求項６の効果に加え、結束チェーンの一部を第一及び第二分割円筒金網籠にて挟持することで、結束チェーンの一部を第二分割円筒金網籠及び中詰材の重量にて固定できる。
【００２７】
本発明に係る請求項８は、連結チェーンを第一及び第二分割円筒金網籠間にて各結束チェーンに連結でき、連結チェーン、結束チェーン及び各チェーンの連結部分を第二分割円筒金網籠及び中詰材の重量にて固定できる。
【００２８】
本発明に係る請求項９は、各段において、円筒金網籠、結束チェーン及び連結チェーンにて法面補強体を構成するので、天候等に起因する円筒金網籠及び各チェーンの腐食、劣化を長期間に渡って抑制でき、優れた耐候性となる。また、各段において、円筒金網籠背面に施される盛土の土圧を受けても、円筒金網籠の変形、破損を防止でき、結束チェーンの破断も防止できる。
本発明に係る請求項９では、各段において、結束チェーンを各金網群外縁周に巻回し、各結束チェーンをチェーン締付具にて締付けることで、各金網籠群の各円筒金網籠を緊縛（結束）でき、更に連結チェーンを隣接する各金網籠群に連結することで、各円筒金網籠を一体にできる。
本発明に係る請求項９では、各段において、各結束チェーンを各金網籠群外円周に巻回して、チェーン締付具にて各結束チェーンを締付けて各金網籠群の各円筒金網籠を緊縛（結束）するとともに、連結チェーンにて各金網籠群を連結するだけで、隣接する各円筒金網籠を一体化でき、作業性を向上できる。
なお、請求項９では、各段において、複数の円筒課網籠は、隣接して一列に配列される構成を採用できる。
【００２９】
本発明に係る請求項１０は、各段において、円筒金網籠、第一及び第二分割金網籠、結束チェーン及び連結チェーンにて法面補強体を構成するので、天候等に起因する円筒金網籠、各分割円筒金網及び各チェーンの腐食、劣化を長期間に渡って抑制でき、優れた耐候性となる。また、各段において、第一列の各円筒金網籠背面及び積載した各分割金網籠平面に施される盛土の土圧を受けても、円筒金網籠及び各分割円筒金網籠の変形、破損を防止でき、結束チェーン及び連結チェーンの破断も防止できる。
本発明に係る請求項１０では、各段において、結束チェーンを各金網群外縁周に巻回し、各結束チェーンをチェーン締付具にて締付けることで、各金網籠群の各円筒金網籠を緊縛（結束）でき、更に連結チェーンを隣接する各金網籠群に連結して第一及び第二分割円筒金網籠にて連結チェーンを挟持することで、各円筒金網籠を一体にできる。各段において、連結チェーンは、積載した第一及び第二分割円筒金網籠にて挟持されるので、積載した各分割円筒金網籠の重量によって固定できる。
本発明に係る請求項１０では、各結束チェーンを各金網籠群外円周に巻回して、チェーン締付具にて各結束チェーンを締付けて各金網籠群の各円筒金網籠を緊縛（結束）すると共に、連結チェーンにて各金網籠群を連結して各分割円筒金網籠にて挟持するだけで、隣接する各円筒金網籠を一体化でき、作業性を向上できる。
本発明に係る請求項１０では、各段において、第一及び第二列に隣接して並設される複数の円筒金網籠を一体化できる。
なお、請求項１０では、各段において、第一及び第二列の各円筒金網籠及び第一分割円筒金網籠は、隣接して千鳥配列される構成を採用できる（構成１）。
また、請求項１０では、上記構成１に加え、各段において、各金網群外縁周に巻回した結束チェーンは、制裁した第一及び第二分割円筒金網籠間に配置され、各分割円筒金網群にて挟持される構成を採用できる（構成２）。
更に、請求項１０では、上記構成２に加え、各段において、制裁した第一及び第二分割円筒金網籠間にて、各金網籠群外縁に巻回した結束チェーンに連結される構成を採用できる。
【００３０】
本発明に係る請求項１１は、各段において、円筒金網籠、結束チェーン及び連結チェーンにて法面補強体を構成するので、天候等に起因する円筒金網籠及び各チェーンの腐食、劣化を長期間に渡って抑制でき、優れた耐候性となる。また、各段において。円筒金網籠背面に施される盛土の土圧を受けても、円筒金網籠の変形、破損を防止でき、結束チェーン及び連結チェーンの破断も防止できる。
本発明に係る請求項１１では、各段において、結束チェーンを各金網群外縁周に巻回し、各結束チェーンをチェーン締付具にて締付けることで、各金網籠群の各円筒金網籠を緊縛（結束）でき、更に連結チェーンを隣接する各金網籠群に連結することで、各円筒金網籠を一体にできる。
本発明に係る請求項１１では、各段において、各結束チェーンを各金網籠群外円周に巻回して、チェーン締付具にて各結束チェーンを締付けて各金網籠群の各円筒金網籠を緊縛（結束）するとともに、連結チェーンにて各金網籠群を連結するだけで、隣接する各円筒金網籠を一体化でき、作業性を向上できる。
なお、請求項１１では、金網籠据付工程において、複数の円筒金網籠を隣接して一列に配列する構成を採用できる。
【００３１】
本発明に係る請求項１２は、各段において、円筒金網籠、第一及び第二分割金網籠、結束チェーン及び連結チェーンにて法面補強体を構成するので、天候等に起因する円筒金網籠、各分割円筒金網及び各チェーンの腐食、劣化を長期間に渡って抑制でき、優れた耐候性となる。また、各段において、第一列の各円筒金網籠背面及び積載した各分割円筒金網籠背面に施される盛土の土圧を受けても、円筒金網籠及び各分割円筒金網籠の変形、破損を防止でき、結束チェーン及び連結チェーンの破断も防止できる。
本発明に係る請求項１２では、各段において、結束チェーンを各金網群外縁周に巻回し、各結束チェーンをチェーン締付具にて締付けることで、各金網籠群の各円筒金網籠を緊縛（結束）でき、更に連結チェーンを隣接する各金網籠群に連結して第一及び第二分割円筒金網籠にて連結チェーンを挟持することで、各円筒金網籠を一体にできる。各段において、連結チェーンは、積載した第一及び第二分割円筒金網籠にて挟持されるので、積載した各分割円筒金網籠の重量によって固定できる。
本発明に係る請求項１２では、各結束チェーンを各金網籠群外円周に巻回して、チェーン締付具にて各結束チェーンを締付けて各金網籠群の各円筒金網籠を緊縛（結束）すると共に、連結チェーンにて各金網籠群を連結して各分割円筒金網籠にて挟持するだけで、隣接する各円筒金網籠を一体化でき、作業性を向上できる。
本発明に係る請求項１２では、各段において、第一及び第二列に隣接して並設される複数の円筒金網籠を一体化できる。
なお、請求項１２では、金網籠据付工程において、第一及び第二列の各円筒金網籠、及び第一分割円筒金網籠を隣接して千鳥配列する構成を採用できる（構成３）。
また、請求項１２では、上記構成３に加え、チェーン巻回工程において、各金網籠群外縁周に巻回した結束チェーンを第一分割円筒金網籠上に配置し、チェーン挟持工程において、第一分割円筒金網籠上の各結束チェーンを積載した第一及び第二分割円筒金網籠にて挟持する構成を採用できる（構成４）。
更に、請求項１２では、上記構成４に加え、チェーン連結工程において、積載した第一及び第二分割円筒金網籠間にて、連結チェーンを各金網籠群外縁周に巻回した結束チェーンに連結する構成も採用できる。
【００３２】
本発明に係る請求項１３では、円筒金網籠、結束金属線材及び連結金属線材にて法面補強体を構成するので、天候等に起因する円筒金網籠及び各金属線材の腐食、劣化を長期間に渡って抑制でき、優れた耐候性となる。また、円筒金網籠背面に施される盛土の土圧を受けても、円筒金網籠及の変形、破損を防止でき、結束金属線材及び連結金属線材の破断も防止できる。
本発明に係る請求項１３では、結束金属線材を各金網群外縁周に巻回し、各結束金属線材を線材締付具にて締付けることで、各金網籠群の各円筒金網籠を緊縛（結束）でき、更に連結金属線材を隣接する各金網籠群に連結することで、各円筒金網籠を一体にできる。
本発明に係る請求項１３では、各結束金属線材を各金網籠群外円周に巻回して線材締付具にて各結束金属線材を締付けて各金網籠の各円筒金網籠を緊縛（結束）するとともに、連結金属線材にて各金網籠群を連結するだけで、各円筒金網籠を一体化でき、作業性を向上できる。結束金属線材、及び連結金属線材としては、金属ワイヤ等を採用できる。
【図面の簡単な説明】
【００３３】
【図１】第一実施形態の法面補強体を示す斜視図である。
【図２】図１のＡ―Ａ矢視図（法面補強体の上面図）である。
【図３】図１のＢ−Ｂ矢視図（法面補強体の側面図）である。
【図４】円筒金網籠を示す斜視図である。
【図５】円筒金網籠を示す図であって、（ａ）は図４のＣ−Ｃ矢視図（円筒金網籠の上面図）、（ｂ）は図４のＤ−Ｄ矢視図（円筒金網籠の下面図）である。
【図６】図４のＤ−Ｄ矢視図である。
【図７】円筒金網籠の円筒金網を構成する、一対の半円孤金網を示す矢視図である。
【図８】円筒金網籠を構成する部材であって、（ａ）は上下金網蓋の斜視図、（ｂ）は吊下げ具の斜視図である。
【図９】第一実施形態の法面構造の変形例を示す図であって、（ａ）は３以上の金網籠群を示す上面図、（ｂ）は複数（２つ）の共用金網籠を含む各金網籠群を示す上面図、（ｃ）は円筒金網籠を二列に配列し、各結束チェーンにて各金網籠群を区画する上面図である。
【図１０】各金網籠群外縁周に複数本の結束チェーンを巻回する側面図である。
【図１１】第二実施形態の法面補強体を示す斜視図である。
【図１２】図１１のＦ−Ｆ矢視図（法面補強体の上面図）である。
【図１３】図１１の要部拡大図であって、積層した第一及び第二分割円筒金網籠及び連結チェーンを示す上面図である。
【図１４】図１１の要部拡大図であって、第二分割円筒金網籠を第一分割円筒金網籠に積載する前において、第一分割円筒金網籠、第一分割円筒金網籠に配置される各結束チェーン、及び各結束チェーンに連結される連結チェーンを示す上面図である。
【図１５】図１１のＧ−Ｇ矢視図（法面補強体の側面図）である。
【図１６】第一及び第二分割円筒金網籠を積載した斜視図である。
【図１７】第一及び第二分割円筒金網籠を分割した斜視図である。
【図１８】第一及び第二分割円筒金網籠を示す図であって、（ａ）は図１７のＨ−Ｈ矢視図（第一及び第二分割円筒金網籠の上面図）、（ｂ）は図１７のＩ―Ｉ矢視図（第一及び第二分割円筒金網籠の下面図）である。
【図１９】図１７のＪ−Ｊ矢視図（第一及び第二分割円筒金網籠の側面図）である。
【図２０】第一及び第二分割円筒金網籠の円筒金網を構成する半円筒金網を示す斜視図である。
【図２１】第二実施形態の法面補強体の変形例を示す図であって、（ａ）は３以上の金網籠群を示す上面図、（ｂ）は各金網籠群外縁周に複数本の結束チェーンを巻回する側面図である。
【図２２】第一実施形態の法面構造を示す斜視図である。
【図２３】図２２のＫ−Ｋ矢視図（法面構造の上面図）である。
【図２４】図２２のＬ−Ｌ矢視図（法面構造の側面図）である。
【図２５】第二実施形態の法面構造を示す斜視図である。
【図２６】図２５のＭ−Ｍ矢視図（法面構造の上面図）である。
【図２７】図２５のＮ−Ｎ矢視図（法面構造の側面図）である。
【図２８】第一及び第二実施形態の法面構造工法の金網籠組立工程を示す図であって、（ａ）は一対の半円筒金網を円筒金網に組立てた斜視図、（ｂ）は一対の半円筒金網を円筒金網に組立てた側面図、（ｃ）は下金網蓋を円筒金網に固定した斜視図、（ｄ）は下金網蓋を円筒金網に固定した側面図、（ｅ）は各吊下げ具を下金網蓋に固定した下面図、（ｆ）は各吊下げ具を下金網蓋に固定した側面図である。
【図２９】第一及び第二実施形態の法面構造工法の金網籠組立工程において、（ａ）は半組立籠に割栗石（中詰材）を充填する斜視図、（ｂ）は割栗石（中詰材）を充填した半組立籠に上金網蓋を固定して円筒金網籠とする斜視図、（ｃ）は割栗石（中詰材）を充填した半組立籠に上金網蓋を固定して円筒金網籠とする側面図、（ｄ）は割栗石（中詰材）を充填した円筒金網籠を吊下げ搬送する斜視図である。
【図３０】第一実施形態の法面構造工法を示す図であって、（ａ）は金網籠据付工程を実行した斜視図、（ｂ）は、チェーン巻回工程及金網籠緊縛工程を事項した斜視図である。
【図３１】第一実施形態の法面構造工法の盛土工程を実行した斜視図である。
【図３２】第一実施形態の法面構造工法において、複数の円筒金網籠を二段積載して、金網籠据付工程、チェーン巻回工程、金網籠緊縛工程及び盛土工程を実行した斜視図である。
【図３３】第二実施形態の分割金網籠組立工程において、（ａ）は一対の半円筒金網を円筒金網に組立てた斜視図、（ｂ）は一対の半円筒金網を円筒金網に組立てた側面図、（ｃ）は下金網蓋を円筒金網に固定した斜視図、（ｄ）は下金網蓋を円筒金網に固定した側面図、（ｅ）は各吊下げ具を下金網蓋に固定した下面図、（ｆ）は各吊下げ具を下金網蓋に固定した側面図である。
【図３４】第二実施形態の法面構造工法の分割金網籠組立工程において、（ａ）は半組立分割籠に割栗石（中詰材）を充填する斜視図、（ｂ）は割栗石（中詰材）を充填した半組立分割籠に上金網蓋を固定した第一及び第二分割円筒金網籠の斜視図、（ｃ）は割栗石（中詰材）を充填した半組立分割籠に上金網蓋を固定して第一及び第二分割円筒金網籠とする側面図、（ｄ）は割栗石（中詰材）を充填した第一及び第二分割円筒金網籠を吊下げ搬送する斜視図である。
【図３５】第二実施形態の法面構造工法を示す図であって、（ａ）は金網籠据付工程を事項した斜視図、（ｂ）はチェーン巻回工程及び金網籠緊縛工程及びチェーン連結工程を実行した斜視図である。
【図３６】第二実施形態の法面構造工法を示す図であって、（ａ）はチェーン挟持工程を実行した斜視図、（ｂ）は盛土工程を実行した斜視図である。
【図３７】第二実施工程の法面構造工法において、複数の円筒金網籠、第一及び第二分割円筒金網籠を二段積載して、金網籠据付工程、チェーン巻回工程、金網籠緊縛工程、チェーン連結工程、チェーン挟持工程及び盛土工程を実行した斜視図である。
【発明を実施するための形態】
【００３４】
本発明に係る法面補強体、法面構造、及び法面構造工法について、図面を参照して説明する。
【００３５】
＜法面補強体＞
第一及び第二実施形態の法面補強体について、図１乃至図２１を参照して説明する。
【００３６】
図１乃至図３、及び図１１乃至図１５において、第一及び第二実施形態の法面補強体Ｘ１，Ｘ２は、崩落した河川護岸等の復旧（仮復旧又は本復旧）、及び法面構造を構築するために用いられる（図２２乃至図２７参照）。
第一及び第二実施形態の法面補強体Ｘ１，Ｘ２は、河川護岸等及び法面構造に対し、補強する構造体となる。
【００３７】
＜１＞第一実施形態：
第一実施形態の法面補強体Ｘ１について、図１乃至図１０を参照して説明する。
【００３８】
図１乃至図３において、第一実施形態の法面補強体Ｘ１（以下、「法面補強体Ｘ１」という）は、複数の円筒金網籠１，１，…、複数の結束チェーン２，２、複数のチェーン締付具３，３及び連結チェーン４，４を備えてなる。
【００３９】
複数の円筒金網籠１，１，…は、割栗石等の中詰材（図示しない）を充填し、隣接して並設される。
各円筒金網籠１，１，…は、図４乃至図６に示すように、円筒金網１１、複数の金網蓋１２，１３（上下金網蓋）及び複数の吊下げ金具１４，１４を備えてなる。
【００４０】
円筒金網１１は、複数本の縦金属線材１１Ａ，１１Ａ，…及び複数本の横金属線材１１Ｂ，１１Ｂ，…にて円筒に構成される。
各縦金属線材１１Ａ，１１Ａ，…は、金網目間隔Ｐ（線材間ピッチ）を隔てて並列され、例えばアルミ合金線材、鋼線、鉄線で形成される。
各横金属線材１１Ｂ，１１Ｂ，…は、円形を形成し、例えばアルミ合金線材、鋼線材、鉄線材で形成される。鉄線材を使用する場合、腐蝕等防止するため鉄線材表面に、例えば溶解亜鉛１０％以上のアルニウムめっき処理（表面処理）を施す。各横金属線材１１Ｂ，１１Ｂ，…は、円筒金網１１の軸方向Ｇに金網間隔Ｐを隔てて並列され、各縦金属線材１Ａ，１Ａ，…に交差する。
各縦金属線材１１Ａ，１１Ａ，…は、各横金属線材１１Ｂ，１１Ｂ，…円周方向Ｅ（円筒金網籠１円周方向Ｅ）に金網目間隔Ｐ（線材間ピッチ）を隔てて並列される。
各縦金属線材１１Ａ，１１Ａ，…及び横金属線材１１Ｂ，１１Ｂ，…は、各線材交差点にて溶接等で固定され、複数の金網目１１Ｃ，１１Ｃ，…を形成する。
円筒金網１１は、図７に示すように、例えば、複数（一対）の半円筒金網１６，１６で構成される。各半円筒金網１６，１６は、各縦金属線材１１ＡＲ，１１ＡＲ同士、及び金属線材１１ＡＬ，１１ＡL同士を複数のコイル線材１７，１７で連結される。各縦金属線材１１ＡＲ，１１ＡＲ，１１ＡＬ，１１ＡＬは、各半円筒金網１６，１６の円周方向Ｅ両端の各縦金属線材である。
各コイル線材１７，１７は、例えばアルミ合金線材、鋼線材、鉄線材で形成される。各コイル線材１７，１７は、図５及び図６に示すように、円筒金網籠１，１，…（円筒金網１１）の軸方向Ｇに渡って各縦金属線材１１ＡＲ，１１ＡＲに巻付けられ、及び各縦金属線材１１ＡＬ，１１ＡＲに巻付けられる。
これにより、円筒金網１１は、各半円筒金網１６，１６を各コイル線材１７，１７にて連結して構成できる。
【００４１】
各金網蓋１２，１３は、円筒金網１１の軸方向Ｇの両端に配置され、円筒金網１１両端開口を閉塞する。
各金網蓋１２，１３は、図８（ａ）に示すように、円形金属線材１８及び複数本の金属線材１９Ａ，１９Ａ，…を備えてなる。
【００４２】
円形金属線材１８は、円筒金網１１の籠直径Ｄ（図４参照）と略同一直径を有して形成れる。円形金属線材１８は、例えばアルミ合金線材、鋼線材、鉄線材で形成される。
【００４３】
複数本の金属線材１９Ａ，１９Ａ…は、円形金属線材１８内側に配置され、溶接等にて線材両端側を円形金属線材１８に固定される。
各金属線材１９Ａ，１９Ａ，…は、円形金属線材１８円周方向に渡って金網目間隔Ｐ（各線材間ピッチ）を隔てて配置され、各線材交差点で交差する。各金属線材１９Ａ，１９Ａ，…は、複数の金網目１９Ｃ，１９Ｃ，…を形成する。
各金属線材１９Ａ，１９Ａ，…は、例えばアルミ合金線材、鋼線材、鉄線材で形成される。
【００４４】
金網蓋１２は、円筒金網１１の軸方向Ｇ一端（上端）に配置され、円筒金網１１の一端開口（上端開口）を閉塞する。金網蓋１２は、上金網蓋（以下、「上金網蓋１２」という）となる。
金網蓋１３は、円筒金網１１の軸方向Ｇ他端（下端）に配置され、円筒金網１１の他端開口（下端開口）を閉塞する。金網蓋１３は、下金網蓋（以下、「下金網蓋１３」という）となる。
上下金網蓋１２，１３は、図６に示すように、複数のコイル線材２０，２１にて円筒金網１１に固定される。
【００４５】
コイル線材２０は、図６及び図７に示すように、上金網蓋１２の円形金属線材１８及び円筒金網１１の軸方向Ｇ上端の横金属線材１１ＢＵに巻付けられる。コイル線材２０は、円筒金網１１の円周方向Ｅ（上金網蓋１２円周方向）に渡って巻付けられ、上金網蓋１２を円筒金網１１の軸方向Ｇ上端に固定する。
【００４６】
コイル線材２１は、図６に示すように、下金網蓋１３の円形金属線材１８及び円筒金網１１の軸方向Ｇ下端の横金属線材１１ＢＤに巻付けられる。コイル線材２１は、円筒金網１１の円周方向Ｅ（下金網蓋１３円周方向）に渡って巻付けられ、下金網蓋１３を円筒金網１１の軸方向Ｇ下端に固定する。
これにより、上下金網蓋１２，１３及び円筒金網１１は、円筒金網体２３に組立てられ、円筒金網体２３内に充填空間Ｕを形成する。充填空間Ｕは、円筒金網１１の各金網目１１Ｃ，１１Ｃ，…及び上下金網蓋１２，１３の各金網目１９Ｃ，１９Ｃ，…を通して円筒金網体２３外部に連通される。
【００４７】
各吊下げ具１４，１４は、図８（ｂ）に示すように、金属線材枠２４、複数本の補強金属線材２４Ａ，２４Ａ，…、及び複数（一対）の吊下げ金属線材２５，２５を備えてなる。
【００４８】
金属線材枠２４は、例えば矩形に形成される。金属線材枠２４は、長手方向Lに長寸法ＬＮ、及び幅方向Ｈに幅寸法ＨＮを有し、長寸法ＬＮは円筒金網１１の籠直径Ｄ（円筒金網体２３の籠直径Ｄ）より長くされる。
金属線材枠２４において、幅寸法ＨＮは円筒金網１１の籠直径Ｄより短い幅にされる。
金属線材枠２４は、例えばアルミ合金線材、鋼線材、鉄線材で形成される。
【００４９】
各補強金属線材２４Ａ，２４Ａ，…は、金属線材枠２４内に配置され、金属線材枠２４の幅方向Ｈに延在される。
各補強金属線材２４Ａ，２４Ａ，…は、金属線材枠２４の長手方向ＬＮに間隔を空けて配置され、線材両端側を溶接等にて金属線材枠２４に固定する。
各補強金属線材２４Ａ，２４Ａ，…は、例えばアルミ合金線材、鋼線材、鉄線材で形成される。
【００５０】
各吊下げ金属線材２５，２５は、金属線材枠２４の長手方向Ｌ両端に夫々に配置される。
各吊下げ金属線材２５，２５は、例えば逆Ｖ字形に形成され、線材両端を溶接等にて金属線材枠２４に固定する。
各吊下げ金属線材２５，２５は、金属線材枠２４の長手方向Ｌ及び幅方向Ｈに直交する方向に延在される。各吊下げ金属線材２５，２５は、例えばアルミ合金線材、鋼線材、鉄線材で形成される。
【００５１】
各吊下げ具１４，１４は、図４乃至図６に示すように、金属線材枠２４を円筒金網体２３の下金網蓋１３下方に位置し、円筒金網体２３の
円周方向Ｅに間隔を空けて配置される。
各吊下げ具１４，１４は、金属線材枠２４を下金網蓋１３にコイル線材等（図示しない）にて固定される。
これにより、各吊下げ具１４，１４は、金属線材枠２４を上下に交差して位置し、円筒金網体２３円周方向Ｅに所定角度（例えば、角度９０度）を持って配置される。
各吊下げ金属線材２５，２５は、円筒金網体２３外側に配置され、円筒金網体２３円周に隣接される。各吊下げ金属線材２５，２５は、円筒金網体２３の軸方向Ｇに配置され、下金網蓋１３から上金網蓋１２側（円筒金網１１上端開口側）まで延在される。
【００５２】
円筒金網１１及び上下金網蓋１２，１３を固定して円筒金網体２３を構成し、円筒金網体２３に各吊下げ具１４，１４を固定して、各円筒金網籠１，１，…を構成する。
各円筒金網籠１，１，…の充填空間Ｕには、中詰材、例えば割栗石（図示しない）が充填される。主な割栗石は、各円筒金網籠１，１，…の各金網目１１Ｃ，１９Ｃより大形状とする。
【００５３】
法面補強体Ｘ１において、複数の円筒金網籠１，１，…は、図１乃至図３に示すように、円筒金網体２３円周を隣接して並設され、例えば隣接して一列に配列される。即ち、各円筒金網籠１，１，…は、円筒金網体２３の軸心ａを平行にして並設される。
各円筒金網籠１，１，…は、軸方向Ｇ下端に下金網蓋１３及び各吊下げ具１４，１４の金網線材枠２４を配置して並設される。
各円筒金網籠１，１，…は、一列の配列数ＮをＮ＝３，４，５，…（Ｎ：自然数）とし、例えば奇数の配列数Ｎ＝７（円筒金網籠：７個）とする（図１乃至図３参照）。
【００５４】
各結束チェーン２，２は、図１乃至図３示すように、隣接する一の円筒金網籠１を共用し、及び共用円筒金網籠１Ａを含む複数の円筒金網群１，１，…でなる金網籠群Ａ，Ａを隣接して複数区画する。
各円筒金網籠１，１，…において、一列の配列数Ｎ＝７であると、図１乃至図３に示すように、列中央の円筒金網籠１を共用円筒金網籠１Ａとする。
各結束チェーン２，２は、共用円筒金網籠１Ａを含み、共通円筒金網籠１Ａを基準とする列両端側に隣接する同数（３個）の円筒金網籠１，１，…でなる金網籠群Ａ，Ａを隣接して区画する。
各結束チェーン２，２は、円筒金網籠１の軸方向Ｇ中央に配置され、例えばアルミ合金、鋼、鉄でなる金属チェーンである。
【００５５】
各結束チェーン２，２は、隣接する金網籠群Ａ，Ａ外縁周に巻回される。各金網籠群Ａ，Ａ外縁周は、各金網籠群Ａ，Ａの共用円筒金網群１Ａ及び各円筒金網籠１，１，…の円筒金網体２３円周でなる（図１及び図３参照）。
各結束チェーン２，２は、隣接する金網籠群Ａ，Ａの共通円筒金網籠１Ａ及び列一端（又は列他端）の円筒金網籠１，１間にて巻回される。
各結束チェーン２，２は、共通円筒金網籠１Ａの円筒金網体２３円周及び列一端（又は列他端）の円筒金網籠１，１の円筒金網体２３円周にて巻回方向を変更され、共用円筒金網籠１Ａ又は列一端（又は列他端）の円筒金網籠１，１に向けて巻返される。
各結束チェーン２，２は、共用円筒金網籠１Ａにおいて、隣接する金網籠群Ａ，Ａにオーバーラップして巻回される。
これにより、各結束チェーン２，２は、連結チェーン４，４として兼用され、各金網籠群Ａ，Ａを連結して、各円筒金網籠１，１，…を一体化する。
【００５６】
各チェーン締付具３，３は、図２及び図３に示すように、各金網籠群Ａ，Ａに配置され、例えばターンハックル（以下、「ターンバックル３，３」という）でなる。
各ターンバックル３，３は、各金網籠群Ａ，Ａ外縁周に巻回した結束チェーン２，２両端側に連結され、操作によって各結束チェーン２，２を締付け、各結束チェーン２，２にて各金網籠群Ａ，Ａの共用円筒金網籠１Ａを含む複数の円筒金網籠１，１，…を緊縛（結束）する。
各チェーン締付具３，３は、シャックル及びレバーブロック（登録商標）（図示しない）で構成でき、シャックルを各金網籠群Ａ，Ａ外縁周に巻回した結束チェーン２，２両端側に固定し、各シャックルにレバーブロックを連結する。レバーブロックを操作して、各結束チェーン２，２を締付け、各結束チェーン２，２にて各金網籠群Ａ，Ａの共用円筒金網籠１Ａ及び各円筒金網籠１，１，…を緊縛（結束）する。
【００５７】
このように、法面補強体Ｘ１は、各結束チェーン２，２を隣接する金網籠群Ａ，Ａ外縁周に巻回することで、隣接する金網籠群Ａ，Ａの各円筒金網籠１，１，…を一体化する。
また、法面補強体Ｘ１は、各金網籠群Ａ，Ａ外縁周に巻回した結束チェーン２，２を各チェーン締付具３，３にて締付けることで、各金網籠群Ａ，Ａの各円筒金網籠１，１，…を緊縛（結束）する。
【００５８】
法面補強体Ｘ１では、図９（ａ）に示すように、隣接する複数の円筒金網籠１，１，…でなる３以上の金網籠群Ａ，Ａ，…を複数の結束チェーン２，２，…にて隣接区画し、各結束チェーン２，２，…を各金網籠群Ａ，Ａ，…外縁周に巻回することで、３以上の隣接する金網籠群Ａ，Ａ，…を連結して一体化する構成も採用できる。各検束チェーン２，２，…は、図１乃至図３で説明したと同様、複数のチェーン締付具３，３にて締付けられ、各金網籠群Ａ，Ａ，…の各円筒金網籠１，１，…を緊縛（結束）する。
【００５９】
法面補強体Ｘ１では、図９（ｂ）に示すように、一列の配列数Ｎを例えば偶数のＮ＝６とし、列中心両端の円筒金網籠１，１を共用金網籠１Ａ，１Ａとする構成の採用できる。
各結束チェーン２，２は、複数の共用円筒金網籠１Ａ，１Ａを含む、複数の円筒金網籠１，１，…でなる金網籠群Ａ，Ａを隣接区画する。
また、各結束チェーン２，２は、複数の共用円筒金網籠１Ａ，１Ａを含む各金網籠群Ａ，Ａ外縁周に巻回され、隣接する金網籠群Ａ，Ａを連結して各円筒金網籠１，１，…を一体化する。各検束チェーン２，２，…は、図１乃至図３で説明したと同様、各チェーン締付具３，３にて締付けられ、各金網籠群Ａ，Ａの各円筒金網籠１，１，…を緊縛（結束）する。
【００６０】
法面補強体Ｘ１では、図９（ｃ）に示すように、複数の円筒金網籠１，１，…を隣接して複数列、例えば二列に配列する構成も採用できる。
各列中央の円筒金網籠１，１を共用円筒金網籠１Ａ，１Ａとする。
各結束チェーン２，２は、各列の共用円筒金網籠１Ａ，１Ａを含み、各共用円筒金網籠１Ａ，１Ａを基準とする各列両端側に隣接する複数の円筒金網籠１，１，…でなる金網籠群Ａ，Ａを隣接区画する。各結束チェーン２，２は、各列の共用円筒金網籠１Ａ，１Ａを含む各金網籠群Ａ，Ａ外縁周に巻回され、各金網籠群を連結して各円筒金網籠１，１，…を一体化する。各結束チェーン２，２，…は、図１乃至３で説明したと同様、各チェーン締付具３，３にて締付けられ、各金網籠群の各円筒金網籠１，１，…を緊縛（結束）する。
【００６１】
法面補強体Ｘ１では、図１０に示すように、一の金網籠群Ａに複数本の結束チェーン２，２，…を巻回する構成も採用できる。
図１０において、複数本の結束チェーン２，２，…は、例えば３本とし、円筒金網籠１の円筒金網体２３の軸方向Ｇに間隔を隔てて配置される。例えば、３本の結束チェーン２，２，…は、円筒金網体２３の軸方向Ｇ中央、及軸方向Ｇ中央から間隔Ｑを隔てて円筒金網籠１両端開口側（上下開口側）に配置し、一の金網籠群Ａ外縁周に巻回する。
複数のチェーン締付具３，３，…は、一の金網籠群Ａ外縁周に巻回した各結束チェーン２，２，…両端側に連結され、一の金網籠群Ａ外縁周に巻回した３本の結束チェーン２，２，…を締付ける。
【００６２】
＜２＞第二実施形態：
第二実施形態の法面補強体Ｘ２について、図１１乃至図２１を参照して説明する。
図１１乃至図２１において、図１乃至図１０と同一符号は、同一部材、同一構成であるので、その詳細な説明は省略する。
【００６３】
図１１乃至図１３において、第二実施形態の法面補強体Ｘ２（以下、「法面補強体Ｘ２」という）は、複数の円筒金網籠１，１，…、複数の結束チェーン２，２、複数のチェーン締付具３，３、連結チェーン３４、及び第一及び第二分割円筒金網籠３１，３２を備えてなる。
【００６４】
第一及び第二分割円筒金網籠３１，３２は、積載され、各結束チェーン２，２及び連結チェーン３４を挟持する。
第一及び第二分割円筒金網３１，３２は、割栗石等の中詰材を充填してなる。
【００６５】
第一及び第二分割円筒金網籠３１，３２は、図１６乃至図１９に示すように、円筒金網５１、複数の金網蓋１２，１３（上下金網蓋）、及び複数の吊下げ具１４，１４を備えてなる。
【００６６】
円筒金網５１は、図１６乃至図１９に示すように、複数本の縦金属線材５１Ａ，５１Ａ，…及び複数本の横金属線材５１Ｂ，５１Ｂ，…にて円筒に構成される。
円筒金網５１は、例えば、網直径Ｄを円筒金網１１と同一にする。
各縦金属線材５１Ａ，５１Ａ，…は、金網目間隔Ｐ（線材間ピッチ）を隔てて並列され、例えばアルミ合金線材、鋼線材、鉄線材で形成される。
各横金属線材５１Ｂ，５１Ｂ，…は、円形を形成し、例えばアルミ合金線材、鋼線材、鉄線材で形成される。鉄線材を使用する場合、腐蝕等防止するため鉄線材表面に、例えば溶解亜鉛１０％以上のアルニウムめっき処理（表面処理）を施す。各横金属線材５１Ｂ，５１Ｂ，…は、円筒金網５１の軸方向Ｇに金網間隔Ｐ（線材間ピッチ）を隔てて並列される。
各縦金属線材５１Ａ，５１Ａ，…は、各横金属線材５１Ｂ，５１Ｂ，…円周方向Ｅ（円筒金網５１円周方向）に金網目間隔Ｐを隔てて並列され、各横金属線材５１Ｂ，５１Ｂに交差する。
各縦金属線材５１Ａ，５１Ａ，…及び各横金属線材５１Ｂ，５１Ｂ，…は、線材交差点にて溶接等で固定され、複数の金網目５１Ｃ，５１Ｃ，…を形成する。
円筒金網５１は、図２に示すように、例えば、複数（一対）の半円筒金網５６，５６で構成される。各半円筒金網５６，５６は、各縦金属線材５１ＡＲ，５１ＡＲ同士、及び各縦金属線材５１ＡＬ，５１ＡＬ同士を複数のコイル線材５７，５７で連結される。各縦金属線材５１ＡＲ，５１ＡＲ，５１ＡＬ，５１ＡＬは、半円筒金網５１の周方向Ｅ両端の各縦金属線材である。
コイル線材５７，５７は、例えばアルミ合金線材、鋼線材、鉄前材で形成される。各コイル線材５７，５７は、図１８及び図１９に示すように、円筒金網５１の軸方向Ｇに渡って各縦金属線材５１ＡＲ，５１ＡＲに巻付けられ、及び各縦金属線材５１ＡＬ，５１ＡＬに巻付けられる。
これにより、円筒金網５１は、各半円筒金網５６，５６を各コイル線材５７，５７にて連結して構成できる。
【００６７】
金網蓋１２は、円筒金網５１の軸方向Ｇ一端（上端）に配置され、円筒金網５１の一端開口（上端開口）を閉塞する。金網蓋１２は、上金網蓋（以下。「上金網蓋１２」という）となる。
金網蓋１３は、円筒金網５１の軸方向Ｇ他端（下端）に配置され、円筒金網５１の他端開口（下端開口）を閉塞する。金網蓋１３は、下金網蓋（以下、「下金網蓋１３」という）となる。
上下金網蓋１２，１３は、図１９に示すように、複数のコイル線材６０，６１にて円筒金網５１に固定される。
【００６８】
コイル線材６０は、図１９に示すように、上金網蓋１２の円形金属線材１８及び円筒金網５１の軸方向Ｇ上端の横金属線材５１ＢＵに巻付けられる。コイル線材６０は、円筒金網５１の円周方向Ｅ（上金網蓋１２円周方向）に渡って巻付けられ、上金網蓋１３を円筒金網５１の軸方向Ｇ上端に固定する。
【００６９】
コイル線材６１は、図１９及び図２０に示すように、下金網蓋１３の円形金属線材１８及び円筒金網５１の軸方向Ｇ下端の横金属線材５１ＢＤに巻付けられる。コイル線材６１は、円筒金網５１の円周方向Ｅに渡って巻付けられ、下金網蓋１３を円筒金網５１の軸方向Ｇ下端に固定する。
これにより、上下金網蓋１２，１３を円筒金網５１に固定することで、円筒金網体６３に組立てられ、円筒金網体６３内に充填空間Ｕ１を形成する。充填空間Ｕ１は、円筒金網５１の各金網目５１Ｃ，５１Ｃ，…、及び上下金網蓋１２，１３の各金網目１９Ｃ，１９Ｃ，…を通して円筒金網体６３外部に連通される。
【００７０】
各吊下げ具１４，１４は、図１６及び図１９に示すように、金属線材枠２４を円筒金網体６３の下金網蓋１３下方に位置し、円筒金網体６３の円周方向Ｅに間隔を隔てて配置される。
各吊下げ具１４，１４は、金属線材枠２４を下金網蓋１３にコイル線材（図示しない）にて固定する。
これにより、各吊下げ具１４，１４は、金属線材枠２５を上下に交差して、円筒金網体６３円周方向Ｅに所定角度（例えば、角度９０度）を持って配置される。
各吊下げ金属線材２５，２５は、円筒金網体６３外側に配置され、円筒金網体６３円周に隣接する。各吊下げ金属線材２５，２５は、円筒金網体６３の軸方向Ｇにおいて、下金網蓋１３から上金網蓋１２上方に延在される。
【００７１】
円筒金網５１及び上下金網蓋１２，１３を固定して円筒金網体６３を構成し、円筒金網体６３に各吊下げ具１４，１４を固定して、第一及び第二分割円筒金網籠３１，３２を構成する。
第一及び第二分割円筒金網籠３１，の充填空間Ｕ１には、中詰材、例えば割栗石（図示しな）を充填する。主な割栗石は、第一及び第二分割円筒金網籠３１，３２の各金網目５１Ｃ，５１Ｃ，…及び上下金網蓋１２，１３の各金網目１９Ｃ，１９Ｃ，…より大形状とする。
【００７２】
第二分割円筒金網籠３２は、図１６及び図１７に示すように、下金網蓋１３から第一分割円筒金網籠３１の上金網蓋１２に積載される。第二分割円筒金網籠３２は、第一分割円筒金網籠３２の各吊下げ金属線材２５，２５，…内側に配置され、第一分割円筒金網籠３１と同心に積載される。
積載した各分割円筒金網籠３１，３１は、図１６に示すように、軸方向Ｇの籠高寸法ＧＨを円筒金網籠１の軸方向ＧＨの籠高寸法ＧＨ（図４参照）と略同一である。
第一及び第二分割円筒金網籠３１，３２は、図１７に示すように、二分割自在にされ、各分割円筒金網籠３１，３２の軸方向Ｇの籠高寸法ＧＨ１は円筒金網籠１の籠高寸法ＧＨの略半分となる。
【００７３】
法面補強体Ｘ２において、複数の円筒金網籠１，１，…及び第一分割円筒金網籠３１は、図１１乃至図１３に示すように、各円筒金網体２３，６３円周を隣接して並設され、第一列Ｒ１に配列される。即ち、第一列Ｒ１において、各円筒金網籠１，１，…及び第一分割円筒金網籠３１は、各円筒金網体２３，６３の軸心ａを平行にして並設される。
第一列Ｒ１において、各円筒金網籠１，１，…及び第一分割円筒金網籠３１は、軸方向Ｇ下方に下金網蓋１３及び各吊下げ具１４，１４の金属線材枠２４を配置して並設される。
第一列Ｒ１の円筒金網籠１，１，…及び第一分割円筒金網籠３１は、第一列の配列数Ｎ１をＮ１＝３，４，５，…（Ｎ：自然数）とする（但し、第一分割円筒金網籠３１の配列数：１個）。
第一列Ｒ１の配列数Ｎ１は、図１１、図１２及び図１５に示すように、例えば第一列Ｒ１の配列数Ｎ１＝５（但し、円筒金網籠：４及び第一分割円筒金網籠：１個）とする。
第一列Ｒ１の各円筒金網籠１，１，…は、第一分割円筒金網籠３１を基準とする第一列Ｒ１両端側の夫々に一又は複数隣接して並設される。
第一列Ｒ１の配列数Ｎ＝５であると、各円筒金網籠１，１，…は、第一分割円筒金網籠３１を基準とする第一列Ｒ１両端側の夫々に同数（３個）を隣接して並設される。
【００７４】
また、複数の円筒金網籠１，１，…は、円筒金網体２３円周を隣接して並列され、第二列Ｒ２に配列される。即ち、第二列Ｒ２の各円筒金網籠１，１，…は、円筒金網体２３軸心ａを平行にして並設する。
第二列Ｒ２の各円筒金網籠１，１，…は、円筒金網体２３の軸方向Ｇ下方に下金網蓋１３及び各吊下げ具１４，１４の金属線材枠２４を配置して並設する。
第二列Ｒ２の各円筒金網籠１，１，…は、第二列Ｒ２の配列数Ｎ２をＮ２＝Ｎ１＋１とする。第二列Ｒ２の配列数Ｎ２は、図１１、図１２及び図１５に示すように、例えば第一列Ｒ１の配列数Ｎ１＝５であると、Ｎ２＝６とする。
【００７５】
第一及び第二列Ｒ１，Ｒ２において、各円筒金網籠１，１，…及び第一分割円筒金網籠３１は、各円筒金網体２３，６３円周を隣接して並設され、例えば第一及び第二列Ｒ１，Ｒ２の各円筒金網籠１，１，…及び第一分割円筒金網籠３１を隣接して千鳥配列する（図１１乃至図１５参照）。
これにより、第一列Ｒ１の各円筒金網籠１，１，…及び第一分割円筒金網籠３１は、図１１乃至図１５に示すように、第二列Ｒ２の各円筒金網籠１，１，…間に配置され、第二列Ｒ２の隣接する各円筒金網籠１，１は、各円筒金網籠１，１間に配置される第一列Ｒ１の各円筒金網籠１，１，…及び第一分割円筒金網籠３１に隣接される。
【００７６】
第二分割円筒金網籠３２は、第一列Ｒ１の第一分割円筒金網籠３１に積載され、積載した各分割円筒金網籠３１，３２の籠高寸法ＧＨは円筒金網籠１と略同一となる。
第二分割円筒金網籠３２は、円筒金網体６３円周を各列Ｒ１，Ｒ２の各円筒金網籠１，１，…円周に隣接して並設される。第二分割円筒金網籠３２は、第一分割円筒金網籠３１に同心に積載される。
【００７７】
各結束チェーン２，２は、図１１乃至図１５に示すように、第一分割円筒金網籠３１を基準とする各列Ｒ１，Ｒ２両端側にて、各列Ｒ１，Ｒ２で隣接する複数の円筒金網籠１，１，…でなる第一及び第二金網籠群Ｂ１，Ｂ２を隣接区画する。
第一金網籠群Ｂ１は、第一分割円筒金網籠３１を基準とする第一列Ｒ１一端側の複数（２個）の円筒金網籠１，１、及び第二列Ｒ２一端側の複数（３個）の円筒金網籠１，１，…でなる。
第二金網籠群Ｂ２は、第一分割円筒金網籠３１を基準とする第一列Ｒ１他端側の複数（２個）の円筒金網籠１，１、及び第二列Ｒ２他端側の複数（３個）の円筒金網籠１，１，…でなる。
【００７８】
各結束チェーン２，２は、各列Ｒ１，Ｒ２の円筒金網籠１，１，…の軸方向Ｇ中央に配置される。各結束チェーン２，２は、第一及び第二金網籠群Ｂ１，Ｂ２外縁周に巻回される。
各金網籠群Ｂ１，Ｂ２外縁周は、各金網籠群Ｂ１，Ｂ１の各円筒金網籠１，１，…の円筒金網体２３円周でなる。
これにより、第一及び第二分割円筒金網籠３１，３２は、隣接する各金網籠群Ｂ１，Ｂ２間にて、各円筒金網籠１，１，…の円筒金網体２３円周に隣接して並設される。
【００７９】
各結束チェーン２，２は、図１２乃至図１５に示すように、各分割円筒金網籠３１，３２側の一部を積載した各分割円筒金網籠３１，３２にて挟持される。
これにより、各結束チェーン２，２の一部（各分割円筒金網籠３１，３２側の一部）は、第一分割円筒金網籠３１に積載した第二分割円筒金網籠３２の重量、即ち第二分割円筒金網籠３２及び第二分割円筒金網籠３２に充填した割栗石（中詰材）等の重量にて固定される。
【００８０】
各ターンバックル３，３（チェーン締付具）は、第一及び第二金網籠群Ｂ１，Ｂ２外縁周に巻回した結束チェーン２両端側に連結される。各ターンバックル３，３は、操作によって各結束チェーン２，２を締付け、各結束チェーン２，２にて各金網籠群Ｂ１，Ｂ１の各円筒金網群１，１，…を緊縛（結束）する。
なお、チェーン締付具３，３は、法面補強体Ｘ１と同様、シャックル及びレバーブロック（図示いない）で構成できる。
【００８１】
連結チェーン３４は、図１１乃至図１５に示すように、積載した第一及び第二分割円筒金網籠３１，３２間に配置され、各分割円筒金網籠３１，３２にて挟持される。
これにより、連結チェーン３４は、第一分割円筒金網籠３１に積載した第二分割円筒金網籠３２の重量、即ち第二分割円筒金網籠３２及び第二分割円筒金網籠３２に充填した割栗石（中詰材）の重量によって固定される。連結チェーン３４は、例えば、アルミ合金、鋼、鉄でなる金属チェーンである。
【００８２】
連結チェーン３４は、積載した第一及び第二分割円筒金網籠３１，３２間にて、各金網籠群Ｂ１，Ｂ２外縁周に巻回した結束チェーン２，２の夫々に連結される。連結チェーン３４は、例えば、各結束チェーン２，２のシャックル（図示しない）に取付けられ、各金網籠群Ｂ１，Ｂ２を連結して、各円筒金網籠１，１，…を一体化する。
【００８３】
このように、法面補強体Ｘ２は、各結束チェーン２，２を各金網籠群Ｂ１，Ｂ２外縁周に巻回し、連結チェーン３４を各金網籠群Ｂ１，Ｂ２外縁周に巻回した結束チェーン２，２に連結することで、隣接する各金網籠群Ｂ１，Ｂ２を連結して、各円筒金網籠１，１，…を一体化する。
また、法面補強体Ｘ２は、各チェーン締付具３，３にて各金網籠群Ｂ１，Ｂ２外縁周に巻回した結束チェーン２，２を締付けることで、各結束チェーン２，２にて各金網籠群Ｂ１，Ｂ２の各円筒金網籠１，１，…を緊縛（結束）する。
【００８４】
法面補強体Ｘ２では、図２１（ａ）に示すように、各列Ｒ１，Ｒ２で隣接する複数の円筒金網籠１，１，…でなる３以上の金網籠群Ｂ１，Ｂ２，…を複数の結束チェーン２，２，…にて隣接区画し、各結束チェーン２，２，…を各金網籠群Ｂ，Ｂ，…外縁周に巻回することで、３以上の隣接する金網籠群Ｂ１，Ｂ２，…連続して区画する構成も採用できる。各結束チェーン２，２，…は、図１１乃至図１５で説明したと同様、複数のチェーン締付具３，３，…にて締付けられ、各金網籠群Ｂ１，Ｂ２，…の各円筒金網籠１，１，…を緊縛（結束）する。
【００８５】
法面補強体Ｘ２は、図２１（ｂ）に示すように、一の金網籠群Ｂ１（又はＢ２）に複数本の結束チェーン２を巻回する構成も採用できる。
図２１（ｂ）において、複数本の結束チェーン２，２，…は、例えば３本とし、円筒金網籠１の円筒金網体２３の軸方向Ｇに間隔を隔てて配置される。例えば、３本の結束チェーン２，２，…は、円筒金網体２３の軸方向Ｇ中央、及び軸方向Ｇ中央から間隔を隔てて円筒金網籠１両端開口側（上下開口端側）に配置し、一の金網籠群Ｂ１（又はＢ２）外縁周に巻回される。
複数のチェーン締付具３，３，…は、一の金網籠群Ｂ外縁周に巻回した各結束チェーン２，２両端側に連結され、各チェーン締付具３，３，…にて一の金網籠群Ｂ１（又はＢ２）外縁周に巻回した３本の結束チェーン２，２，…を締付ける。
【００８６】
法面補強体Ｘ１，Ｘ２では、複数の結束チェーン２，２に代えて、金属ワイヤ、針金等の結束金属線材とする構成も採用できる。各結束金属線材は、図１乃至図３、及び図１１乃至図１５で説明したと同様、各金網籠群Ａ，Ａ又は各金属籠群Ｂ１，Ｂ２に区画し、各金属金網群Ａ，Ａ，Ｂ１，Ｂ２外縁周に巻回する。各金網籠群Ａ，Ａ，Ｂ１，Ｂ２外縁周に巻回した各結束金属線材両端側に線材締付具を連結する、各線材締付具は、図１乃至図３、及び図１１乃至図１５で説明したと同様、例えばターンバックル、又シャックル及びレバーブロックにて構成する。
各金網籠群Ａ，Ａ，Ｂ１，Ｂ２外縁周に巻回した各結束金属線材の線材両端側に環状線材部を形成し、両端側の環状線材部にターンバックルを連結する。各ターンバックルを操作して、各結束金属線材を締付けることで、各結束金属線材にて各金網籠群Ａ，Ａ，Ｂ１，Ｂ２の各円筒金網籠１，１，…を緊縛（結束）する。
法面補強体Ｘ２では、連結チェーン３に代えて、金属ワイヤ、針金等の連結金属線材とする構成も採用できる。連結金属線材は、図１１乃至図１５で説明したと同様、各金網籠群Ｂ１，Ｂ２外縁周に巻回した各結束金属線材（又は各結束チェーン２，２）に夫々連結される。
また、連結金属線材は、積載した各分割円筒金網籠にて挟持され、第二分割円筒金網籠及び第二円筒金網籠に充填した割栗石（中詰材）の重量によって固定される。
【００８７】
＜法面構造＞
次に、第一及び第二実施形態の法面構造について、図面を参照して説明する。
【００８８】
＜Ａ＞第一実施形態：
第一実施形態の法面構造について、図１乃至図３、及び図２２乃至図２４等を参照して説明する。
なお、図２２乃至図２４において、図１乃至図１０と同一符号は同一部材、同一構成であるの、その詳細な説明は省略する。
【００８９】
図２２乃至図２４において、第一実施形態の法面構造Ｙ１（以下、「法面構造Ｙ１」という）は、複数の円筒金網籠１，１，…、複数の結束チェーン２，２，…、複数のチェーン締付具３，３（ターンバックル）、及び盛土Ｎを備えてなる。
【００９０】
複数の円筒金網籠１，１，…は、地盤Ｍに複数段積載し、及び各段にて複数隣接して並設される。複数の円筒金網籠１，１，…を積載する段数は、図２２乃至図２４に示すように、例えば三段Ｄ１〜Ｄ３とする。各円筒金網籠１，１，…は、割栗石（中詰材）を充填してなる。
各段Ｄ１〜Ｄ３において、各円筒金網籠１，１，…は、配列数Ｎ＝３，４，５，…（Ｎ：自然数）とし、例えば配列数Ｎ＝７（円筒金網籠１：７個）とする。
【００９１】
第一段目Ｄ１において、各円筒金網籠１，１，…は、下金網蓋１３を地盤Ｍ上に載置し、円筒金網体２３円周を隣接して並設する。即ち、第一段目Ｄ１において、各円筒金網籠１，１，…は、円筒金網体２３の軸心ａを平行にして並設される。
各円筒金網籠１，１，…は、地盤Ｍ上に隣接して一列に配列される。
【００９２】
第一段目Ｄ１を除く、各段Ｄ２，Ｄ３において、各円筒金網籠１，１，…は、例えば一段下の各円筒金網籠１，１，…に積載される。
各円筒金網籠１，１，…は、下金網蓋１３を一段下の各円筒金網籠の上金網蓋１３上に載置し、円筒金網体２３円周を隣接して並設される。即ち、各段Ｄ２，Ｄ３において、各円筒金網籠１，１，…は、円筒金網体２３の軸心ａを平行にして並設される。
各円筒金網籠１，１，…は、一段下の円筒金網籠１，１，…と同方向に隣接して一列に配列される。
第一段目Ｄ１を除く、各段Ｄ２，Ｄ３において、各円筒金網籠１，１，…は、一段下の各円筒金網籠１，１，…に対し、背面側に所定量ずらして配置される。
【００９３】
各結束チェーン２，２，…は、各段Ｄ１〜Ｄ３に複数配置される。
【００９４】
各段Ｄ１〜Ｄ３において、複数の結束チェーン２，２は、図１乃至図３で説明したと同様、隣接する一又は複数の円筒金網籠１を共用し、及び共用円筒金網１Ａを含む複数の円筒金網籠１，１，…でなる金網籠群Ａ，Ａ，…を隣接して複数区画する。
各段Ｄ１〜Ｄ３において、円筒金網籠１の一列の配列数Ｎ＝７であると、列中央の円筒金網籠１を共用円筒金網籠１Ａとする。各結束チェーン２，２は、円筒金網籠１の配列数Ｎ＝７において、共用円筒金網籠１Ａを含み、共用円筒金網籠１Ａを基準とする列両端側の夫々に隣接する同数（３つ）の円筒金網籠１，１，…でなる金網籠群Ａ，Ａを隣接して区画する。
【００９５】
各段Ｄ１〜Ｄ３において、各結束チェーン２，２は、隣接する金網籠群Ａ，Ａ外縁周に巻回される。各金網籠群Ａ，Ａ外縁周は、各金網籠群Ａ，Ａの共用円筒金網籠１Ａ及び各円筒金網籠１，１，…の円筒金網体２３円周でなる。
各段Ｄ１〜Ｄ３において、各結束チェーン２，２は、共用円筒金網籠１Ａ及び列一端（又は列他端）の円筒金網籠１，１間に巻回される。各結束チェーン２，２は、共用円筒金網籠１Ａの円筒金網体２３円周、及び列一端（又は列他端）の各円筒金網籠１，１の円筒金網体２３円周にて巻回方向を変更され、共用円筒金網籠１Ａ又は列一端（又は列他端）の各円筒金網籠１，１に向けて巻返される。
各段Ｄ１〜Ｄ３において、各結束チェーン２，２は、隣接する金網籠群Ａ，Ａの共用円筒金網籠１Ａにオーバーラップして巻回される。
これにより、各段Ｄ１〜Ｄ３において、各結束チェーン２，２は、各金網籠群Ａ，Ａを連結して、各円筒金網籠１，１，…を一体化する。
【００９６】
各チェーン締付具３，３，…は、各段Ｄ１〜Ｄ３に複数配置され、例えばターンバックルでなる。
【００９７】
各段Ｄ１，Ｄ２，Ｄ３において、各ターンバックル３，３，…は、各金網籠群Ａ，Ａ外縁周に巻回した結束チェーン２，２両端側に連結される。各ターンバックル３，３は、操作によって各結束チェーン２，２を締付け、各結束チェーン２，２にて各金網籠群Ａ，Ａ，…の各円筒金網籠１，１，…を緊縛（結束）する。
【００９８】
盛土Ｎは、各段Ｄ１〜Ｄに施される。
【００９９】
各段Ｄ１，Ｄ２，Ｄ３において、盛土Ｎは、各金網籠群Ａ，Ａ，…（各円筒金網籠１，１，…）背面に施される。盛土Ｎは、各円筒金網籠１，１，…の軸方向Ｇにおいて、上下金網蓋１２，１３に渡って施される。
第一段目Ｄ１において、盛土Ｎは地盤Ｍに配置され、各段Ｄ２，Ｄ３において、盛土Ｎは一段下の盛土Ｎに積載して配置される。
盛土Ｎは、砂、砂礫、割栗石等で構成され、例えば河川護岸等の水域では吸出防砂材を用いる（以下、同様）。
【０１００】
このように、法面構造Ｙ１は、各段Ｄ１，Ｄ２，Ｄ３において、法面補強体Ｘ１（図１乃至図１０参照）を構成し、各法面補強体Ｘ１背面（共通円筒金網籠１Ａ及び各円筒金網籠１，１，…背面）に盛土Ｎを施してなる。
これにより、法面構造Ｙ１は、法面補強体Ｘ１を地盤Ｍ上に複数段積載して構成されることになる。
【０１０１】
法面構造Ｙ１では、図９（ａ）で説明したと同様、法面構造の規模に応じ、各段Ｄ１〜Ｄ３において、３以上の金網籠群Ａ，Ａ，…となる構成も採用できる。
また、法面構造Ｙ１では、図９（ｂ）、（ｃ）で説明したと同様、各段Ｄ１〜Ｄ３において、複数の共通金網籠１Ａ，１Ａ，…の構成、第一及び第二列の構成を採用できる。
【０１０２】
法面構造Ｙ１では、複数の円筒金網籠１，１，…を複数段積載する際に、各偶数段（第二段目、第４段目，・・・）の各円筒金網籠１，１，…は、各奇数段（第一段目、第三段目，・・・）の各円筒金網籠１，１，…に対し、列方向に円筒金網籠１，１，…の半径（半径＝１／２×Ｄ）だけずらして千鳥配列する構成も採用できる。
【０１０３】
＜Ｂ＞第二実施形態：
第二実施形態の法面構造Ｙ２について、図１１乃至図１５、及び図２５乃至図２７等を参照して説明する。
なお、図２５乃至図２７において、図４乃至図８、及び図１１乃至図２１と同一符号は、同一部材、同一構成であるので、その詳細な説明は省略する。
【０１０４】
図２５乃至図２７において、第二実施形態の法面構造Ｙ２（以下、「法面構造Ｙ」という）は、複数の円筒金網籠１，１，…、複数の結束チェーン２，２，…、複数のチェーン締付具３，３，…、複数の連結チェーン３４，３４、複数の第一及び第二分割円筒金網籠３１，３２、及び盛土Ｎを備えてなる。
【０１０５】
複数の円筒金網籠１，１，…、第一及び第二分割円筒金網籠３１，３２は、地盤Ｍに複数段積載し、及び各段にて隣接して並設される。複数の円筒金網籠１，１，…を積載する段数は、図２５乃至図２７に示すように、例えば三段Ｄ１，Ｄ２，Ｄ３とする。各円筒金網籠１，１，…、第一及び第二分割円筒金網籠３１，３２は、割栗石（中詰材）を充填してなる。
【０１０６】
各段Ｄ１〜Ｄ３において、複数の円筒金網籠１，１，…は、隣接して第一及び第二列Ｒ１，Ｒ２に配列される。各円筒金網籠１，１，…は、下金網蓋１３を地盤Ｍに載置する。各円筒金網籠１，１，…は、円筒金網体２３円周を隣接して並設される。即ち、各列Ｒ１，Ｒ２にて、各円筒金網籠１，１，…は、円筒金網体２３の軸心ａを平行にして並設される。
各段Ｄ１〜Ｄ３において、各列Ｒ１，Ｒ２の各円筒金網籠１，１，…は、同方向に隣接して配列される。
【０１０７】
各段Ｄ１〜Ｄにおいて、第一分割円筒金網籠３１，３１，…は、第一列Ｒ１に配列される。第一分割円筒金網籠３１は、下金網蓋１３を地盤Ｍに載置する。第一分割円筒金網籠３１，３１，…は、円筒金網体６３円周を各列Ｒ１，Ｒ２の各円筒金網籠１，１，…の円筒金網体２３円周に隣接して並設される。即ち、第一分割円筒金網籠３１は、円筒金網体６３の軸心ａを各列Ｒ１，Ｒ２の各円筒金網籠１，１，…の円筒金網体２３の軸心ａに平行して並設される。
各段Ｄ１〜Ｄ３において、第一列Ｒ１の各円筒金網籠１，１，…及び第一分割円筒金網籠３１は、第一列の配列数Ｎ１をＮ１＝３，４，５，…（Ｎ：自然数）とする。
第一列Ｒ１の配列数Ｎ１は、図２５乃至図２７に示すように、例えば配列数Ｎ１＝５（但し、各円筒金網籠１：４個、第一分割円筒金網籠３１：１個）とする。
各段Ｄ１〜Ｄ３において、第一列Ｒ１の各円筒金網籠１，１，…は、第一分割円筒金網籠３１を基準とする第一列Ｒ１両端側の夫々に一又は複数隣接して並設される。各円筒金網籠１，１，…は、第一列Ｒ１の配列数Ｎ１＝５であると、第一分割円筒金網籠３１を基準とする第一列Ｒ１両端側の夫々に同数（２個）を隣接して並設される。
【０１０８】
各段Ｄ１〜Ｄ３において、第二列Ｒ２の各円筒金網籠１，１，…は、第二列Ｒ２の配列数Ｎ２をＮ２＝Ｎ１＋１とする。
第二列Ｒ２の配列数Ｎ２は、図２５乃至図２７に示すように、例えば第一列Ｒ１の配列数Ｎ１＝５であると、Ｎ２＝６とする。
【０１０９】
第一及び第二列Ｒ１，Ｒ２において、各円筒金網籠１，１，…及び第一分割円筒金網３１は、円筒金網体２３，６３円周を隣接して並設され、例えば第一及び第二列Ｒ１，Ｒ２の各円筒金網籠１，１，…及び第一分割円筒金網籠３１を隣接して千鳥配列する。
これにより、各段Ｄ１〜Ｄ３において、第一列Ｒ１の各円筒金網籠１，１，…及び第一分割円筒金網籠３１は、図２５乃至図２７に示すように、第二列Ｒ２の各円筒金網籠１，１，…間に配置され、第二列Ｒ２の隣接する各円筒金網籠１，１は、各円筒金網籠１，１間に配置される第一列Ｒ１の各円筒金網籠１，１，…及び第一分割円筒金網籠３１に隣接される。
【０１１０】
第一段目Ｄ１において、第一列Ｒ１の各円筒金網籠１，１，…及び第一分割円筒金網籠３１は、下金網蓋１３を地盤Ｍに載置して、各列Ｒ１，Ｒ２に配列される。
第一段目Ｄ１を除く、各段Ｄ２，Ｄ３において、各円筒金網籠１，１，…及び第一分割円筒金網籠３１は、下金網蓋３１を一段下の各円筒金網籠１，１，…の上金網蓋１２上に載置し、各列Ｒ１，Ｒ２に配列される。
第一段目Ｄ１を除く、各段Ｄ２，Ｄ３において、各列Ｒ１，Ｒ２の各円筒金網籠１，１，…及び第一分割円筒金網籠３１は、例えば、一段下の各円筒金網籠１，１，…及び第一分割円筒金網籠３１に対し、背面側にずらして配置される。
【０１１１】
各結束チェーン２，２，…は、各段Ｄ１〜Ｄ３に複数配置される。
【０１１２】
各段Ｄ１〜Ｄ３において、各結束チェーン２，２は、図１１乃至図１５で説明したと同様、第一分割円筒金網籠３１を基準とする各列Ｒ１，Ｒ２両端側の夫々にて、各列Ｒ１，Ｒ２で隣接する複数の円筒金網籠１，１，…でなる第一及び第二金網籠群Ｂ１，Ｂ２を隣接して区画する（図２５乃至図２７参照）。
第一及び第二金網籠群Ｂ１，Ｂ２は、図２５及び図２６に示すように、第一列Ｒ１の２個の円筒金網籠１，１及び第二列Ｒの３個の円筒金網籠１，１，…でなる。
【０１１３】
各段Ｄ１〜Ｄ３において、各結束チェーン２，２は、各円筒金網籠１，１，…の円筒金網体２３の軸方向Ｇ中央に配置される。各結束チェーン２，２は、隣接する第一及び第二金網籠群Ｂ１，Ｂ２外縁周に巻回される。
各金網籠群Ｂ１，Ｂ２外縁周は、各金網籠群Ｂ1，Ｂ２の各円筒金網籠１の円筒金網体２３円周でなる。
各段Ｄ１〜Ｄ３において、各結束チェーン２，２は、図１２乃至図１５で説明したと同様、第一分割円筒金網顎３１側の一部を第一分割円筒金網籠３１の上金網籠３１に配置される。
【０１１４】
各チェーン締付具３，３，…は、各段Ｄ１〜Ｄ３に複数配置され、例えばターンバックルでなる、なお、各チェーン締付具３，３，…は、図１１乃至図１５で説明したと同様、シャックル及びレバーブロック（図示しない）で構成できる。
【０１１５】
各段Ｄ１〜Ｄ３において、各ターンバックル３，３は、各金網籠群Ｂ１，Ｂ２外縁周に巻回した結束チェーン２両端側に連結される。各ターンバックル３，３は、操作によって各結束チェーン２，２を締付け、各結束チェーン２，２にて各金網籠群Ｂ１，Ｂ２の各円筒金網籠１，１，…を緊縛（結束）する。
【０１１６】
各連結チェーン３４，３４，…は、各段Ｄ１〜Ｄに配置される。
【０１１７】
各段Ｄ１〜Ｄ３において、各連結チェーン３４は、図１１乃至図１５で説明したと同様、第一分割円筒金網３１の上金網蓋１２上に配置される。各連結チェーン３４は、隣接する第一及び第二金網籠群Ｂ１，Ｂ２外縁周に巻回した結束チェーン２の夫々に連結される（図２６参照）。
これにより、連結チェーン３４は、隣接する第一及び第二金網群Ｂ１，Ｂ２を連結し、各円筒金網籠１，１を一体化する。
【０１１８】
各段Ｄ１〜Ｄ３において、第二分割円筒金網籠３２は、図１１乃至図１５で説明したと同様、第一分割円筒金網籠３１に積載される。
第二分割金網籠３２は、下金網蓋１２を第一分割円筒金網籠３１の上金網蓋１２上に載置し、第一分割金網籠１と同心に配置される。
各段Ｄ１〜Ｄ３において、積載した第二分割円筒金網籠３２は、第一分割円筒金網籠３１とでレ連結チェーン３４を挟持する。
積載した各分割円筒金網籠３１，３２は、隣接する第一及び第二金網籠群Ｂ１，Ｂ２外縁周に巻回した結束チェーン２，２の一部（各分割円筒金網籠３１，３２側）を挟持する。
これにより、連結チェーン３４、及び各結束チェーン２，２の一部は、第一分割円筒金網籠３１に積載した第二分割円筒金網籠３２の重量、即ち、第二分割円筒金網籠３２及び第二分割円筒金網籠３２に充填した割栗石（中詰材）の重量によって固定される。
第二段目Ｄ２において、第一及び第二分割円筒金網籠３１，３２の重量は、第一段目Ｄ１の第二分割円筒金網籠３２に作用し、第一段目Ｄ１の連結チェーン３４及び各結束チェーン２，２の一部を固定するために役立つ。
第三段目Ｄ３において、第一及び第二分割円筒金網籠３１，３２の重量は、第二段目Ｄ２の第一分割円筒金網籠３２に作用し、第一及び第二段目Ｄ１，Ｄ２の連結チェーン３４及び各結束チェーン２，２の一部を固定するために役立つ。
なお、最上段（例えば三段目Ｄ３）において、第一分割円筒金網籠３１に積載した第二分割円筒金網３２は、図２７に示すように、各吊下げ金属線材２５，１５を円筒金網体６３から上金網蓋１２上方に配置する。このとき、最上段において、各吊下げ金網線材２５，２５を切断して除去し、又は上金網蓋１２に向けて折曲げる。
【０１１９】
盛土Ｎは、各段Ｄ１〜Ｄ３に施される。
【０１２０】
各段Ｄ１〜Ｄ３において、盛土Ｎは、第一列Ｒ１の各金網籠群Ｂ１，Ｂ２の各円筒金網籠１，１，…の背面及び積載した各分割円筒金網籠３１，３２背面に施される。盛土Ｎは、各円筒金網籠１，１，…及び積載した各分割円筒金網籠３１，３２の軸方向Ｇにおいて、上下金網蓋１２，１３に渡って施される。
第一段目Ｄ１において、盛土Ｎは地盤Ｍに配置され、各段Ｄ２，Ｄ３において、盛土Ｎは一段下の盛土Ｎに積載して配置される。
【０１２１】
このように、法面構造Ｙ２は、各段Ｄ１，Ｄ２，Ｄ３において、法面補強体Ｘ２（図１１乃至図２０参照）を構成し、各法面補強体Ｘ２背面（第一列Ｒ１の各円筒金網籠１，１，…及び積載した分割円筒金網籠３１，３２背面）に盛土Ｎを施してなる。
これにより、法面構造Ｙ２は、法面補強体Ｘ２を地盤Ｍ上に複数段積載して構成されることになる。
【０１２２】
法面構造Ｙ２では、図２１（ａ）で説明したと同様、法面構造の規模に応じて、各段Ｄ１〜Ｄにおいて、３以上の金網籠群Ｂ１，Ｂ２，…を連続して区画する構成も採用できる。
法面構造Ｙ２では、図２１（ｂ）で説明したと同様、一の金網籠群Ａ外縁周に複数本の結束チェーン２，２，…を巻回する構成も採用できる。
【０１２３】
〈法面構造工法〉
第一及び第二実施形態の法面構造工法について、図面を参照して説明する。
【０１２４】
〈ａ〉第一実施形態：
第一実施形態の法面構造工法について、図１乃至図３、図２２乃至図２４、及び図２８乃至図３２を参照して説明する。
なお、図２８乃至図３２において、図１乃至図１０、及び図２２乃至図２４と同一符号は、同一部材、同一構成であるので、その詳細な説明は省略する。
【０１２５】
図２８乃至図３２において、第一実施形態の法面構造工法Ｚ１（以下、「法面構造工法Ｚ１」という）は、金網籠組立工程、金網籠据付工程、チェーン巻回工程、金網籠緊縛工程、及び盛土工程を含み、金網籠据付工程、チェーン巻回工程、金網籠緊縛工程及び盛土工程を繰返して、複数の円筒金網籠１，１，…を地盤Ｍに複数段積載してなる法面構造（図２２乃至図２４参照）を構築する。
複数の円筒金網籠１，１，…を積載する段数は、例えば三段Ｄ１，Ｄ２，Ｄ３とする。
【０１２６】
〈金網籠組立工程〉
金網籠組立工程では、複数の円筒金網籠１，１，…を組立てつつ、各円筒金網籠１，１，…に割栗石（中詰材）を充填する。
【０１２７】
図２８（ａ）、（ｂ）において、複数（一対）の半円筒金網１６，１６を円筒金網１１に組立てる。  
円筒金網１１は、各半円筒金網１６，１６を複数のコイル線材１７，１７にて連結して構成される。
各コイル線材１７，１７は、各半円筒金網１６，１６の縦金属線材１１ＡＲ，１１ＡＲ、及び縦金網線材１１ＡＬ，１１ＡＬに巻付けられる。
各コイル線材１７，１７は、円筒金網１１の軸方向Ｇに渡って巻付けられ、各半円筒金網１６，１６を連結して円筒金網１１とする。
【０１２８】
図２８（ｃ）、（ｄ）において、金網蓋１３を円筒金網１１に固定する。
金網籠１３は、円筒金網１１一端に配置され、円筒金網１１の一端開口を閉塞する。金網蓋１３及び円筒金網１１は、コイル線材２１にて固定される。
コイル線材２１は、金網蓋１３の円形金属線材１８及び円筒金網１１の横金属線材１１ＢＵに巻付けられる。
コイル線材２１は、円筒金網１１円周方向Ｅに渡って巻付けられ、金網蓋１３を円筒金網１１一端に固定する。
【０１２９】
図２８（ｅ）、（ｆ）において、各吊下げ具１４，１４を円筒金網１１の金網蓋１３に固定する。
各吊下げ具１４，１４は、金網線材枠２４を円筒金網１１の金網蓋１３上に配置する。各吊下げ具１４，１４は、円筒金網１１の円周方向Ｅに間隔、例えば９０度の角度を隔てて配置される。
各吊下げ具１４，１４の金網金属枠２４は、金網蓋１３に固定される。
各吊下げ金属線材２５，２５は、円筒金網１１外側に配置され、円筒金網１１円周に隣接する。各吊下げ金属線材２５，２５は、円筒金網１１の軸方向Ｇにおいて、金属蓋１３から円筒金網１１他端開口側に延在する。
これにより、円筒金網１１、金網蓋１３及び各吊下げ具１４，１４を固定してなる半組立籠７５とする。
【０１３０】
図２９（ａ）において、半組立籠７５を反転し、金網蓋１３を地盤Ｍに載置する。これにより、金網蓋１３は下金網蓋となる。
バックホウ等の土木建機（図示しない）を使用し、半組立籠７５上端開口から割栗石（中詰材）を半組立籠７５に充填する。
【０１３１】
図２９（ｂ）、（ｃ）において、上金網蓋１２を半組立籠７５に固定する。
上金網蓋１２は、半組立籠７５上端に配置され、半組立籠７５上端開口を閉塞する。上金網蓋１２及び半組立籠７５は、コイル線材２０にて固定される。
コイル線材２０は、上金網蓋１２の円形金属線材１８及び半組立籠７５（円筒金網１１）の横金属線材１１ＢＵに巻付けられる。
コイル線材２０は、円筒金網１１の円周方向Ｅに渡って巻付けられ、上金網蓋１２を半組立籠７５に固定し、円筒金網籠１に組立てる。
複数の円筒金網籠１，１，…は、円筒金網体２３の充填空間Ｕに割栗石（中詰材）を充填してなる。
【０１３２】
〈金網籠据付工程：第一段目Ｄ１〉
図３０（ａ）において、複数の円筒金網籠１，１，…を地盤Ｍに隣接して並設し、第一段Ｄ１の各円筒金網籠１，１，…を構築する。
第一段目Ｄ１において、各円筒金網籠１，１，…は、円筒金網体２３円周を隣接して並設される。即ち、第一段目Ｄ１において、各円筒金網籠１，１，…は、円筒金網体２３の軸心ａを平行にして並設される。
各円筒金網籠１，１，…において、各吊下げ具１４，１４の各吊下げ金属線材２５，２５には、図２９（ｄ）に示すように、吊下げワイヤ７１，７１，…を取付ける。各吊下げワイヤ７１，７１，…を吊下げビーム７２に固定し、吊下げビーム７２をクレーン、バックホウ等の土木建機（図示しない）に連結する。
各円筒金網籠１，１，…は、クレーン、バックホウ等の土木建機（図示しない）にて吊下げ搬送られ、地盤Ｍに載置される。このとき、各円筒金網籠１，１，…は、下金網蓋１３を各吊下げ具１４，１４の金属線材枠２４，２４にて支持され、下金網蓋１２，１３を軸方向Ｇ上下に水平にして吊下げられる。
各円筒金網籠１，１，…では、円筒金網体２３の充填空間Ｕに割栗石（中詰材）を充填しているので、クレーン等の土木建機（図示しない）にて吊下げ搬送（上下金網籠１２，１３を水平にして吊下げ搬送）しても割栗材の重量が円筒金網体２３内で偏って作用することなく、円筒金網体２３円周方向Ｅに均等に分布することになり、割栗石（中詰材）による円筒金網体２３の変形を抑えることができる。従って、円筒金網籠１では、吊下げ搬送時の変形を防止する固定枠等を必要とせず、作業性を向上できる。
【０１３３】
第一段目Ｄ１において、複数の円筒金網籠１，１，…は、隣接して一列に配列される。各円筒金網籠１，１，…は、一列の配列数ＮをＮ＝３，４，５，…（Ｎ：自然数）とする。第一段目Ｄ１において、各円筒金網籠１，１，…の配列数Ｎは、図３０（ａ）に示すように、例えばＮ＝７とする。
【０１３４】
〈チェーン巻回工程：第一段目Ｄ１〉
第一段目Ｄ１において、図１乃至図３で説明したと同様、隣接する一又は複数の円筒金網籠１を共用し、及び共用円筒金網籠１Ａを含む複数の円筒金網籠１，１，…でなる金網籠群Ａ，Ａを複数の結束チェーン２，２にて隣接して複数区画する［図３１（ａ）参照］。
第一段目Ｄ１において、図３０（ｂ）に示すように、各円筒金網籠１の一列配列数Ｎ＝７であると、列中央の円筒金網籠１を共用円筒金網籠１Ａとする。
各結束チェーン２，２は、円筒金網籠１の配列数Ｎ＝７であると、共用円筒金網籠１Ａを含み、共用円筒金網籠１Ａを基準とする列両端側の夫々にて、隣接する同数（３個）の円筒金網籠１，１，…でなる金網籠群Ａ，Ａを隣接して区画する［図３１（ｂ）、図２及び図３参照］。
第一段目Ｄ１において、各結束チェーン２，２を円筒金網籠１の軸方向Ｇ中央に配置し、各金網籠群Ａ，Ａ外縁周に巻回する［図３１（ｂ）、図２及び図３参照］。
第一段目Ｄ１において、各結束チェーン２，２は、共用円筒金網籠１Ａ及び列両端（又は列他端）の円筒金網籠１間に配置される。
各結束チェーン２，２は、共用円筒金網籠１Ａの円筒金網体２３円周、及び列一端（又は列他端）の円筒金網籠１の円筒金網体２３円周にて巻回方向を変更され、共用円筒金網籠１又は列一端（又は列他端）の円筒金網籠１に向けて巻返えされる。
第一段目Ｄ１において、各結束チェーン２，２は、隣接する金網籠群Ａ，Ａの共用円筒金網籠１Ａにオーバーラップして巻回される。
なお、各結束チェーン２，２の巻回において、各金網籠群Ａ，Ａ外縁周に巻回した結束チェーン２，２及び円筒金網体２３の軸方向Ｇ中央の横金属線材１１Ｂに複数の結束バンドを巻付けて、各結束チェーン２，２を円筒金網体２３に仮止する。
これにより、第一段目Ｄ１において、各結束チェーン２，２は、隣接する金網籠群Ａ，Ａを連結して、各円筒金網籠１，１，…を一体化する。
【０１３５】
〈金網籠緊縛工程：第一段目Ｄ１〉
第一段目Ｄ１において、図１及び図３で説明したと同様、各金網籠群Ａ，Ａ外縁周に巻回した結束チェーン２，２両端側にチェーン締付具３，３を連結する（図２及び図３参照）。各チェーン締付具３，３を操作して、各結束チェーン２，２を締付け、各結束チェーン２，２にて各金網籠群Ａ，Ａの各円筒金網籠１，１，…を緊縛（結束）する。
なお、チェーン締付具３，３は、ターンバックルで構成し、又はシャンクル及びレバーブロックで構成できる。
【０１３６】
〈盛土工程：第一段目Ｄ１〉
第一段目Ｄ１において、各金網籠群Ａ，Ａ（各円筒金網籠１，１，…）背面に盛土Ｎを施す（図３１参照）。盛土Ｎは、円筒金網籠１の軸方向Ｇにおいて、上下金網蓋１２，１３に渡って施される。
第一段目Ｄ１において、盛土Ｎは、地盤Ｍに配置される。
【０１３７】
〈金網籠据付工程：第二段目Ｄ２〉
図３２において、複数の円筒金網籠１，１，…を第一段目Ｄ１（一段下）の各円筒金網籠１，１…に積載し、第二段目Ｄ２の各円筒金網籠１，１，…を構築する。
第二段目Ｄ２において、各円筒金網籠１，１，…は、下金網蓋１３を第一段目Ｄ１の各円筒金網籠１，１，…の上金網蓋１２上に隣接して並設される。即ち、第二段目Ｄ２において、各円筒金網籠１，１，…は、円筒金網体２３の軸心ａを平行にして並設される。
第二段目Ｄ２において、各円筒金網籠１，１，…は、第一段目Ｄ１の各円筒金網籠１，１，…と同方向において、隣接して一列に配列される。各円筒金網籠１，１，…は、図３２に示すように、一列の配列数Ｎを例えばＮ＝７とする。
第二段目Ｄ２において、各円筒金網籠１，１，…は、例えば第一段目Ｄ１の各円筒金網籠１，１，…に対し、背面側（盛土Ｎ側）にずらして配置される。
【０１３８】
〈チェーン巻回工程：第二段目Ｄ２〉
第二段目Ｄ２において、第一段目Ｄ１と同様、隣接する金網籠群Ａ，Ａを複数の結束チェーン２，２にて隣接して複数区画する（図３２、図２及び図３参照）。
第二段目Ｄ２において、第一段目Ｄ１と同様、各結束チェーン２，２を各金網籠群Ａ，Ａ外縁周に巻回する。
【０１３９】
〈金網籠緊縛工程：第二段目Ｄ２〉
第二段目Ｄ２において、図１乃至図３で説明したと同様、各金網籠群Ａ，Ａ外縁周に巻回した結束チェーン２，２両端側にチェーン締付具３，３を連結する。各チェーン締付具３，３を操作して、各結束チェーン２，２を締付け、各結束チェーン２，２にて各金網籠群Ａ，Ａの各円筒金網籠１，１，…を緊縛（結束）する（図２及び図３参照）。
【０１４０】
〈盛土工程：第二段目Ｄ２〉
第二段目Ｄ２において、図３２に示すように、各金網籠群Ａ，Ａ（各円筒金網籠１，１，…）背面に盛土Ｎを施す。盛土Ｎは、円筒金網籠１の軸方向Ｇにおいて、上下金網蓋１２，１３に渡って施される。
第二段目Ｄ２において、盛土Ｎは、第一段目Ｄ１（一段下）の盛土Ｎに積載して配置される。
【０１４１】
〈金網籠据付工程：第三段目Ｄ３〉
図２２乃至図２４において、複数の円筒金網籠１，１，…を第二段目Ｄ２（一段下）の各円筒金網籠１，１，…に積載し、第三段目Ｄ３の各円筒金網籠１，１，…を構築する。
第三段目Ｄ３において、各円筒金網籠１，１，…は、下金網蓋１３を第三段目Ｄ３の各円筒金網籠１，１，…の上金網蓋１２上に隣接して並設される。
第三段目Ｄ３において、各円筒金網籠１，１，…は、第二段目Ｄ２の各円筒金網籠１，１，…と同方向において、隣接して一列に配列される。各円筒金網籠１，１，…は、図２２乃至図２４に示すように、一列の配列数Ｎを例えばＮ＝７とする。
第三段目Ｄ３において、各円筒金網籠１，１，…は、例えば第二段目Ｄ２の各円筒金網籠１，１，…に対し、背面側（盛土Ｎ側）にずらして配置される。
【０１４２】
〈チェーン巻回工程：第三段目Ｄ３〉
第三段目Ｄ３において、第一段目Ｄ１と同様、隣接する金網籠群Ａ，Ａを複数の結束チェーン２，２にて隣接して複数区画する（図２３及び図２４、図２及び図３参照）。
第三段目Ｄ３において、第一段目Ｄ１と同様、各結束チェーン２，２を各金網籠群Ａ，Ａ外縁周に巻回する。
【０１４３】
〈金網籠緊縛工程：第三段目Ｄ３〉
第三段目Ｄ３において、図１乃至図３で説明したと同様、各金網籠群Ａ，Ａ外縁周に巻回した結束チェーン２，２両端側にチェーン締付具３，３を連結する（図２６、図２及び図３参照）。各チェーン締付具３，３を操作して、各結束チェーン２，２を締付け、各結束チェーン２，２にて各金網籠群Ａ，Ａの各円筒金網籠１，１，…を緊縛（結束）する。
【０１４４】
〈盛土工程：第三段目Ｄ３〉
第三段目Ｄ３において、図２２乃至図２５に示すように、各金網籠群Ａ，Ａ（各円筒金網籠１，１，…）背面に盛土Ｎを施す。盛土Ｎは、円筒金網籠１の軸方向Ｇにおいて、上下金網蓋１２，１３に渡って施される
第三段目Ｄ３において、盛土Ｎは、第二段目Ｄ２（一段下）の盛土Ｎに積載して配置される。
【０１４５】
このように、法面構造工法Ｚ１は、各段Ｄ１，Ｄ２，Ｄ３において、法面補強体Ｘ１（図１乃至図１０参照）を構成し、各法面補強体Ｘ１（各円筒金網籠１，１，…及び共用円筒金網籠１Ａ）背面に盛土Ｎを施してなる。
これにより、法面構造工法Ｙ１では、法面補強体Ｘ１を複数段積載して、法面構造Ｘ１を構築する。
【０１４６】
法面構造Ｙ工法Ｚ１では、図９（ａ）で説明したと同様、法面構造の規模に応じ、各段Ｄ１〜Ｄ３において、３以上の金網籠群Ａ，Ａ，…を連続して区画する構成も採用できる。
また、法面構造工法Ｚ１では、図９（ｂ）、（ｃ）で説明したと同様、各段Ｄ１〜Ｄ３にて、複数の共通金網籠１Ａ，１Ａ，…の構成、第一及び第二列の構成を採用できる。
【０１４７】
法面構造工法Ｚ１では、金網籠据付工程において、各偶数段（第二段目、第４段目，・・・）の各円筒金網籠１，１，…を各奇数段（第一段目、第三段目，・・・）の各円筒金網籠１，１，…に対し、列方向に円筒金網籠１，１，…の半径（半径＝１／２×Ｄ）だけずらして千鳥配列する構成も採用できる。
【０１４８】
〈ｂ〉第二実施形態：
第二実施形態の法面構造工法について、図１１乃至図１５、図２５乃至図２７、及び図３３乃至図３７等を参照して説明する。
なお、図３３乃至図３７において、図１１乃至図２１、及び図２５乃至図２７と同一符号は、同一部材、同一構成であるので、その詳細な説明は省略する。
【０１４９】
図３３乃至図３７において、第二実施形態の法面構造工法Ｚ２（以下、「法面構造工法Ｚ２」という）は、金網籠組立工程、分割金網籠組立工程、金網籠据付工程、チェーン巻回工程、金網籠緊縛工程、チェーン連結工程、チェーン挟持工程及び盛土工程を含み、金網籠据付工程、チェーン巻回工程、金網籠緊縛工程、チェーン連結工程、チェーン挟持工程及び盛土工程を繰返して、複数の円筒金網籠１，１，…、第一及び第二分割円筒金網籠３１，３２を地盤Ｍに複数段積載してなる法面構造（図２５乃至図２７参照）を構築する。
複数の円筒金網籠１，１，…及び各分割円筒金網籠３１，３２を積載する段数は、図２５乃至図２７に示すように、例えば三段Ｄ１，Ｄ２，Ｄ３とする。
【０１５０】
〈金網籠組立工程〉
金網籠組立工程では、法面構造工法Ｚ１の図２８及び図２９で説明したと同様、複数の円筒金網籠１，１，…を組立てつつ、各円筒金網籠１，１，…に割栗石（中詰材）を充填する。
【０１５１】
〈分割金網籠組立工程〉
分割金網籠組立工程では、複数の第一及び第二分割円筒金網籠３１，３２を組立てつつ、各分割円筒金網籠３１，３２に割栗石（中詰材）を充填する。
【０１５２】
図３３（ａ）、（ｂ）において、複数（一対）の半円筒金網５６，５６を円筒金網５１に組立てる。
円筒金網５１は、各半円筒金網５６，５６を複数のコイル線材５７，５７にて連結して構成される。
各コイル線材５７，５７は、各半円筒金網５６，５６の縦金属線材５１ＡＲ，５１ＡＲ、及び縦金属線材５１ＡＬ，５１ＡＬに巻付けられる。
各コイル線材５７，５７は、円筒金網５１の軸方向Ｇに渡って巻付けられ、各半円筒金網５６，５６を連結して円筒金網５１とする。
【０１５３】
図３３（ｃ）、（ｄ）において、金網蓋１３を円筒金網５１に固定する。
金網蓋１３は、円筒金網５１一端に配置され、円筒金網５１一端開口を閉塞する。金網蓋１３及び円筒金網５１は、コイル線材６１にて固定される。
コイル線材６１は、金網籠１３の円形金属線材１８及び円筒金網５１の横金属線材５１ＢＤに巻付けられる。
コイル線材６１は、円筒金網５１円周方向Ｅに渡って巻付けられ、金網蓋１３を円筒金網５１一端に固定する。
【０１５４】
図３３（ｅ）、（ｆ）において、各吊下げ具１４，１４を円筒金網５１の金網蓋１３に固定する。
各吊下げ具１４，１４は、金属線材枠２４を円筒金網５１の金網蓋１３上に配置する。各吊下げ具１４，１４は、円筒金網５１円周方向Ｅに間隔、例えば９０度の角度を隔てて配置される。
各吊下げ具１４，１４の金属線材枠２４は、金網蓋１３に固定される。
各吊下げ金属線材２５，２５は、円筒金網５１外側に配置され、円筒金網５１円周に隣接される。各吊下げ金属線材２５，２５は、円筒金網５１の軸方向Ｇにおいて、金網籠１３から円筒金網５１他端開口の上方に延出する。
これにより、円筒金網５１、金網蓋１３及び各吊下げ具１４，１４を固定してなる半組立分割籠８５とする。
【０１５５】
図３４（ａ）において、半組立分割籠８５を反転し、金網蓋１３を地盤Ｍに載置する。これにより、金網籠１３は下金網蓋となる。
バックホウ等の土木建機（図示しない）を使用し、半組立分割籠８５上端開口から割栗石（中詰材）を半組立分割籠８５に充填する。
【０１５６】
図３４（ｂ）、（ｃ）において、上金網蓋１２を半組立分割籠８５に固定する。
上金網蓋１２は、半組立分割籠８５上端に配置され、半組立分割籠８５上端開口を閉塞する。上金網蓋１２及び半組立分割籠８５は、コイル線材６０にて固定する。
コイル線材６０は、上金網蓋１２の円形金属線材１８及び半組立分割籠８５（円筒金網５１）の横金属線材５１ＢＵに巻付けられる。
コイル線材６０は、円筒金網５１円周方向Ｅに渡って巻付けられ、上金網蓋１２を半組立分割籠８５に固定し、第一及び第二分割円筒金網籠３１，３２に組立てる。
複数の第一及び第二分割円筒金網籠３１，３２は、円筒金網体６３の充填空間Ｕ１に割栗石（中詰材）を充填してなる。
【０１５７】
〈金網籠据付工程：第一段目Ｄ１〉
図３５（ａ）において、複数の円筒金網籠１，１，…及び第一分割円筒金網籠３１を地盤Ｍに隣接して並設し、第一段目Ｄ１について第一列Ｒ１の各円筒金網籠１，１，…及び第一分割円筒金網籠３１を構築する。
複数の円筒金網籠１，１，…及び第一分割円筒金網籠３１を隣接して第一列Ｒ１に配列する。
【０１５８】
第一段目Ｄ１において、第一列Ｒ１の各円筒金網籠１，１，…及び第一分割円筒金網籠３１は、下金網籠１３を地盤Ｍに載置する。第一列Ｒ１の各円筒金網籠１，１，…及び第一分割円筒金網籠３１は、円筒金網体２３，６３円周を隣接して並設される。即ち、第一段目Ｄ１において、第一列Ｒ１の各円筒金網籠１，１，…及び第一分割円筒金網籠３１は、円筒金網体２３，６３の軸心ａを平行にして並設される。
【０１５９】
第一段目Ｄ１において、第一列Ｒ１の各円筒金網籠１，１，…及び第一分割円筒金網籠３１は、第一列の配列数Ｎ１をＮ１＝３，４，５，…（Ｎ：自然数）とする。
第一列Ｒ１の配列数Ｎ１は、図３５（ａ）に示すように、例えば配列数Ｎ１＝５（但し、円筒金網籠１：４個、第一分割円筒金網籠３１：１個）とする。
【０１６０】
第一段目Ｄ１において、第一分割円筒金網籠３１を基準とする第一列Ｒ１両端側の夫々に一又は複数の円筒金網籠１，１，…を隣接して並設する。各円筒金網籠１，１，…は、第一列の配列数Ｎ＝５であると、図３５（ａ）に示すように、第一分割円筒金網籠３１を基準とする第一列両端側の夫々に同数（２個）隣接して並設される。
【０１６１】
第一段目Ｄ１において、複数の円筒金網籠１，１，…を地盤Ｍに隣接して並設し、第二段目Ｄ２について第二列Ｒ２の各円筒金網籠１，１，…を構築する。第二列Ｒ２の各円筒金網籠１，１，…は、第二列の配列数Ｎ２をＮ２＝Ｎ１＋１とする。第二列Ｒ２の配列数Ｎ２は、図３５（ａ）に示すように、第一列の配列数Ｎ１＝５であると、Ｎ２＝６とする。
【０１６２】
第二列Ｒ２の各円筒金網籠１，１，…は、円筒金網体２３円周を隣接して並設される。即ち、各円筒金網籠１，１，…は、円筒金網体２３の軸心ａを平行にして並設される。
第一段目Ｄ１において、第二列Ｒ２の各円筒金網籠１，１，…は、第一列Ｒ１の各円筒金網籠１，１，…と同方向に隣接して配列される。
【０１６３】
第一段目Ｄ１において、第一及び第二列Ｒ１，Ｒ２の各円筒金網籠１，１，…及び第一分割円筒金網籠３１を隣接して並設し、例えば第一及び第二列Ｒ１，Ｒ２の各円筒金網籠１，１，…及び第一分割円筒金網籠３１を隣接して千鳥配列する。
これにより、第一段目Ｄ１において、第一列Ｒ１の各円筒金網籠１，１，…及び第一分割円筒金網籠３１は、図３５（ａ）に示すように、第二列Ｒ２の各円筒金網籠１，１間に配置され、第二列Ｒ２の各円筒金網籠１，１，…は、各円筒金網籠１，１間に配置された第一列Ｒ１の各円筒金網籠１，１，…及び第一分割円筒金網籠３１に隣接される。
【０１６４】
各円筒金網籠１，１，…は、図２９（ｄ）で説明したと同様、クレーン、バックホウ等の土木建機（図示しない）にて吊下げ搬送され、地盤Ｍに載置される。
【０１６５】
第一分割円筒金網籠３１において、各吊下げ具１４，１４の各吊下げ金属線材２５，２５には、図３４（ｄ）に示すように、吊下げワイヤ７１，７１，…を取付ける。各吊下げワイヤ７１，７１，…を吊下げビーム７２に固定し、吊下げビーム７２をクレーン、バックホウ等の土木建機（図示しない）に連結する。
第一分割円筒金網籠３１は、クレーン、バックホウ等の土木建機（図示しない）にて吊下げ搬送され、地盤Ｍに載置される。このとき、第一分割円筒金網籠３１は、下金網籠１３を各吊下げ具１４，１４の各金属線材枠２４，２４にて支持され、上下金網蓋１２，１３を軸方向Ｇ上下に水平にして吊下げられる。
第一分割円筒金網籠３１では、円筒金網籠１と同様、円筒金網体６３の充填空間Ｕ１に割栗石（中詰材）を充填しているので、クレーン等の土木建機（図示しない）にて吊下げ搬送（上下金網籠１２，１３を水平にして吊下げ搬送）しても割栗材の重量が円筒金網体６３内で偏って作用することなく、円筒金網体６３円周方向Ｅに均等に分布することになり、割栗石（中詰材）による円筒金網体６３の変形を抑えることができる。従って、第一分割円筒金網籠３１では、吊下げ搬送時の変形を防止する固定枠等を必要とせず、作業性を向上できる。
【０１６６】
〈チェーン巻回工程：第一段目Ｄ１〉
第一段目Ｄ１において、図３５（ｂ）に示すように、第一分割円筒金網籠３１を基準とする各列Ｒ１，Ｒ２両端側の夫々にて、各列Ｒ１，Ｒ２で隣接する複数の円筒金網籠１，１，…でなる第一及び第二金網群Ｂ１，Ｂ２を複数の結束チェーン２，２にて隣接区画する。
第一及び第二金網籠群Ｂ１，Ｂ２は、図１１乃至図１５で説明したと同様、第一列Ｒ１の２個の円筒金網籠１，１、及び第二列Ｒ２の３個の円筒金網籠１，１，…でなる。
【０１６７】
第一段目Ｄ１において、各結束チェーン２，２を円筒金網体２３の軸方向Ｇ中央に配置し、各金網籠群Ｂ１，Ｂ２外縁周に巻回する。各金網籠群Ｂ１，Ｂ２外縁周は、各金網籠群Ｂ１，Ｂ２の各円筒金網籠１，１，…の円筒金網体２３円周でなる。
第一段目Ｄ１において、各金網籠群Ｂ１，Ｂ２外縁周に巻回した各結束チェーン２，２は、図１１乃至図１５で説明したと同様、第一分割円筒金網籠３１側を第一分割円筒金網籠３１の上金網蓋１２に配置される（図１４参照）。
なお、各結束チェーン２，２の巻回において、各金網籠群Ａ，Ａ外縁周に巻回した結束チェーン２，２及び円筒金網体２３の軸方向Ｇ中央の横金属線材１１Ｂに複数の結束バンドを巻付けて、各結束チェーン２，２を円筒金網体２３に仮止する。
【０１６８】
〈金網籠緊縛工程：第一段目Ｄ１〉
第一段目Ｄ１において、図１１乃至図１５で説明したと同様、各金網籠群Ｂ１，Ｂ２外縁周に巻回した結束チェーン２，２両端側にチェーン締付具３，３を連結する（図１２及び図１５参照）。各チェーン締付具３，３を操作して、各結束チェーン２，２を締付け、各結束チェーン２，２にて各金網籠群Ｂ１，Ｂ２の各円筒金網籠１，１，…を緊縛（結束）する。
なお、チェーン締付具３は、ターンバックルで構成し、シャックル及びレバーブロックで構成できる。
【０１６９】
〈チェーン連結工程：第一段目Ｄ１〉
第一段目Ｄ１において、図１１乃至図１５で説明したと同様、第一分割円筒金網籠３１の上金網蓋１２上に連結チェーン３４を配置する（図１２及び図１４参照）。
第一段目Ｄ１において、連結チェーン３４を第一及び第二金網籠群Ｂ１，Ｂ３外縁周に巻回した結束チェーン３４の夫々に連結する。
連結チェーン３４は、第一分割円筒金網籠３１の上金網蓋１２上に配置した各結束チェーン２，２の一部（第一分割円筒金網籠３１側の一部）に連結される（図１４参照）。
これにより、連結チェーン３４は、隣接する第一及び第二金網籠群Ｂ１，Ｂ２を連結し、各円筒金網籠１，１，…を一体化する。
【０１７０】
〈チェーン挟持工程：第一段目Ｄ１〉
第一段目Ｄ１において、図３６（ａ）に示すように、第一列Ｒ１の第一分割円筒金網籠３１に第二分割円筒金網籠３２を積載する。
第二分割円筒金網籠３２は、下金網蓋１３を第一分割円筒金網籠３１の上金網籠１２上に載置し、第一分割円筒金網籠３１と同心に配置される。
第二分割円筒金網籠３２は、図３４（ｄ）で説明したと同様、各吊下げ金具１４，１４の各吊下げ金属線材２５，２５に吊下げワイヤ７１，７１，…を取付け、クレーン、バックホウ等の土木建機（図示しない）にて吊下げ搬送され、地盤Ｍに載置される。
第二分割円筒金網籠３２では、第一分割円筒金網籠３１と同様、割栗石（中詰材）による円筒金網体６３の変形を抑えることができる。従って、第二分割円筒金網籠３２では、吊下げ搬送時の変形を防止する固定枠等を必要とせず、作業性を向上できる。
【０１７１】
第一段目Ｄ１において、第一分割円筒金網籠３１に積載した第二分割円筒金網籠３２は、第一分割円筒金網籠３１とで連結チェーン３４、及び各結束チェーン２，２の一部を挟持する。
これにより、連結チェーン３４、及び各結束チェーン２，２の一部は、第二分割円筒金網籠３２の重量、即ち、第二分割円筒金網籠３２及び第二分割円筒金網籠３２に充填した割栗石（中詰材）の重量にて固定される。
【０１７２】
〈盛土工程：第一段目Ｄ１〉
第一段目Ｄ１において、図３６（ｂ）に示すように、第一列Ｒ１の各金網籠群Ｂ１，Ｂ２の各円筒金網籠１，１，…背面、及び積載した各分割円筒金網籠３１，３２背面に盛土Ｎを施す。盛土Ｎは、地盤Ｍに配置され、各円筒金網籠１，１，…の及び積載した各分割円筒金網籠３１，３２の軸方向Ｇにおいて、上下金網蓋１３，１４に渡って施される。
第一段目Ｄ１において、盛土Ｎは地盤Ｍに配置される。
【０１７３】
〈金網籠据付工程：第二段目Ｄ２〉
図３７において、複数の円筒金網籠１，１，…及び第一分割円筒金網籠３１を第一段目Ｄ１の第一列Ｒ１の各円筒金網籠１，１，…及び第一分割円筒金網籠３１に積載し、第二段目Ｄ２について第一列Ｒ１の各円筒金網籠１，１，…及び第一分割円筒金網籠３１を構築する。
第二段目Ｄ２において、第一列Ｒ１の各円筒金網籠１，１，…及び第一分割円筒金網籠を第一段目Ｄ１と同方向において、隣接して第一列Ｒ１に配列する。
第二段目Ｄ２において、第一列Ｒ１の各円筒金網籠１，１，…及び第一分割円筒金網籠３１は、第一段目Ｄ１と同様、第一列の配列数Ｎ１＝５とする。第一列Ｒ１の各円筒金網籠１，１，…は、第一段目Ｄ１と同様、第一分割円筒金網籠３１を基準とする第一列両端側の夫々に同数（２個）隣接して並設される。
第二段目Ｄ２において、第一列Ｒ１の各円筒金網籠１，１，…及び第一分割円筒金網籠３１は、円筒金網体２３，６１円周を隣接して並設される。即ち、第二段目Ｄ２において、第二列Ｒ２の各円筒金網籠１，１，…及び第一分割円筒金網籠３１は、円筒金網体２３，６２の軸心ａを平行にして隣接される。
【０１７４】
図３７において、複数の円筒金網籠１，１，…を第一段目Ｄ１（一段下）の第二列Ｒ２の各円筒金網籠１，１，…に積載し、第二段目Ｒ２について第二列Ｒ２の各円筒金網籠１，１，…を構築する。
第二段目Ｄ２において、各円筒金網籠１，１，…を第一段目Ｄ１の第二列Ｒ２と同方向において、隣接して第二列Ｒ２に配列する。
第二段目Ｄ２において、第二列Ｒ２の各円筒金網籠１，１，…は、第一段目Ｄ１と同様、第二列の配列数Ｎ２＝６とする。第二列Ｒ２の各円筒金網籠１，１，…は、円筒金網体２３円周を隣接して並設される。即ち、第二段目Ｄ２において、第二列Ｒ２の各円筒金網籠１，１，…は、円筒金網体２３の軸心ａを平行にして隣接する。
【０１７５】
第二段目Ｄ２において、第一及び第二列Ｒ１，Ｒ２の各円筒金網籠１，１，…及び第一分割円筒金網籠３１は、第一段目Ｄ１と同様、例えば隣接して千鳥配列される。
第二段目Ｄ２において、各列Ｒ１，Ｒ２の各円筒金網籠１，１，…及び第一分割円筒金網籠３１は、第一段目Ｄ１の各円筒金網籠１，１，…及び第一分割円筒金網籠３１に対し、背面側（盛土Ｎ側）にずらして配置される。
【０１７６】
〈チェーン巻回工程：第二段目Ｄ２〉
第二段目Ｄ２において、第一段目Ｄ１と同様、第一及び第二金網籠群Ｂ１，Ｂ２を複数の結束チェーン２，２にて隣接区画する（図３７、図１２及び図１５参照）。
第二段目Ｄ２において、第一段目Ｄ１と同様、各結束チェーン２，２を各金網籠群Ｂ１，Ｂ２外縁周に巻回する（図３７、図１２及び図１５参照）。
各結束チェーン２，２の一部は、第一段目Ｄ１と同様、第一分割円筒金網籠３１の上金網蓋１２上に配置される（図１４参照））。
【０１７７】
〈金網籠緊縛工程：第二段目Ｄ２〉
第二段目Ｄ２において、図１１乃至図１５で説明したと同様、各金網籠群Ｂ１，Ｂ２外縁周に巻回した結束チェーン２，２両端側にチェーン締付具３，３を連結する。各チェーン締付具３，３を操作して、各結束チェーン２，２を締付け、各結束チェーン２，２にて各金網籠群Ｂ１，Ｂ２の各円筒金網籠１，１，…を緊縛（結束）する。
【０１７８】
〈チェーン連結工程：第二段目Ｄ２〉
第二段目Ｄ２において、第一段目Ｄ１と同様、第一分割円筒金網籠３１の上金網蓋１２上に連結チェーン３４を配置する（図１２乃至図１４参照）。
第二段目Ｄ２において、連結チェーン３４を第一及び第二金網籠群Ｂ１，Ｂ２外縁周に巻回した結束チューン２，２の夫々に連結する。連結チェーン３４は、第一分割円筒金網籠３１の上金網蓋１２上の各結束チェーン２，２の一部に連結される。
これにより、第二段目Ｄ２において、連結チェーン３４は、各金網籠群Ｂ１，Ｂ２を連結し、各円筒金網群１，１，…を一体化する。
【０１７９】
〈チェーン挟持工程：第二段目Ｄ２〉
第二段目Ｄ２において、図３７に示すように、第一列Ｒ１の第一分割円筒金網籠３１に第二分割円筒金網籠３２を積載する。
第二分割円筒金網籠３１は、第一段目Ｄ１と同様、第一分割円筒籠３１に同心に配置される。
第二分割円筒金網籠３１は、図３６（ａ）で説明したと同様、第一分割円筒金網籠３１とで連結チェーン３４及び各結束チェーン２の一部を挟持する。
これにより、第二段目Ｄ２において、連結チェーン３４及び結束チェーン２，２の一部は、第二分割円筒金網籠３２の重量、即ち、第二分割円筒金網籠３２及び第二分割円筒金網籠３２に充填した割栗石（中詰材）等の重量にて固定される。
第二段目Ｄ２の第一及び第二分割円筒金網籠３１，３２の重量は、第一段目Ｄ１の第二分割円筒金網籠３２に作用し、第一段目Ｄ１の連結チェーン３４及び各結束チェーン２，２の一部を固定するのに役立つ。
【０１８０】
〈盛土工程：第二段目Ｄ２〉
第二段目Ｄ２において、図３７に示すように、第一列Ｒ１の各金網籠群Ｂ１，Ｂ２の各円筒金網籠１，１，…背面、及び積載した各分割円筒金網籠３１，３２背面に盛土Ｎを施す。盛土Ｎは、第一段目Ｄ１の盛土Ｎに積載され、各円筒金網籠１，１，…及び積載した各分割円筒金網籠３１，３２の軸方向Ｇにて、上下金網蓋１２，１３に渡って配置される。
【０１８１】
〈金網籠据付工程：第三段目Ｄ３〉
図２５乃至図２７において、複数の円筒金網籠１，１，…及び第一分割円筒金網籠３１を第二段目Ｄ２の第一列Ｒ１の各円筒金網籠１，１，…及び第一分割円筒金網籠３１に積載し、第三段目Ｄ３について第一列Ｒ１の各円筒金網籠１，１，…及び第一分割円筒金網籠３１を構築する。
第三段目Ｄ３において、第一列Ｒ１の各円筒金網籠１，１，…及び第一分割円筒金網籠を第二段目Ｄ２と同方向において、隣接して第一列Ｒ１に配列する。
第三段目Ｄ３において、第一列Ｒ１の各円筒金網籠１，１，…及び第一分割円筒金網籠３１は、第一段目Ｄ１と同様、第一列の配列数Ｎ１＝５とする。第一列Ｒ１の各円筒金網籠１，１，…は、第一段目Ｄ１と同様、第一分割円筒金網籠３１を基準とする第一列両端側に同数（２個）隣接して並設される。
第三段目Ｄ３において、第一列Ｒ１の各円筒金網籠１，１，…及び第一分割円筒金網籠３１は、円筒金網体２３，６１円周を隣接して並設される。即ち、第三段目Ｄ３において、第一列Ｒ１の各円筒金網籠１，１，…及び第一分割円筒金網籠３１は、円筒金網体２３，６２の軸心ａを平行にして隣接される。
【０１８２】
図２５及び図２７において、複数の円筒金網籠１，１，…を第二段目Ｄ２（一段下）の第二列Ｒ２の各円筒金網籠１，１，…に積載し、第三段目Ｄ３について第二列Ｒ２の各円筒金網籠１，１，…を構築する。
第三段目Ｄ３において、各円筒金網籠１，１，…を第二段目Ｄ２の第二列Ｒ２と同方向において、隣接して第二列Ｒ２に配列する。
第三段目Ｄ３において、第二列Ｒ２の各円筒金網籠１，１，…は、第一段目Ｄ１と同様、第二列の配列数Ｎ２＝６とする。第二列Ｒ２の各円筒金網籠１，１，…は、円筒金網体２３円周を隣接して並設される。即ち、第三段目Ｄ３において、第二列Ｒ２の各円筒金網籠１，１，…は、円筒金網体２３の軸心ａを平行にして隣接する。
【０１８３】
第三段目Ｄ３において、第一及び第二列Ｒ１，Ｒ２の各円筒金網籠１，１，…及び第一分割円筒金網籠３１は、第一段目Ｄ１と同様、例えば隣接して千鳥配列される。
第三段目Ｄ３において、各列Ｒ１，Ｒ２の各円筒金網籠１，１，…及び第一分割円筒金網籠３１は、第二段目Ｄ２の各円筒金網籠１，１，…及び第一分割円筒金網籠３１に対し、背面側（盛土Ｎ側）にずらして配置される。
【０１８４】
〈チェーン巻回工程：第三段目Ｄ３〉
第三段目Ｄ３において、第一段目Ｄ１と同様、第一及び第二金網籠群Ｂ１，Ｂ２を複数の結束チェーン２，２にて隣接区画する（図２５乃至図３７、図１２及び図１５参照）。
第三段目Ｄ３において、第一段目Ｄ１と同様、各結束チェーン２，２を各金網籠群Ｂ１，Ｂ２外縁周に巻回する（図２５乃至図２７、図１２及び図１５参照）。
なお、各結束チェーン２，２の一部は、第一段目Ｄ１と同様、第一分割円筒金網籠３１の上金網蓋１２上に配置される（図１４参照）。
【０１８５】
〈金網籠緊縛工程：第三段目Ｄ３〉
第三段目Ｄ３において、図１１乃至図１５で説明したと同様、各金網籠群Ｂ１，Ｂ２外縁周に巻回した結束チェーン２，２両端側にチェーン締付具３，３を連結する。各チェーン締付具３，３を操作して、各結束チェーン２，２を締付け、各結束チェーン２，２にて各金網籠群Ｂ１，Ｂ２の各円筒金網籠１，１，…を緊縛（結束）する。
【０１８６】
〈チェーン連結工程：第三段目Ｄ３〉
第三段目Ｄ３において、第一段目Ｄ１と同様、第一分割円筒金網籠３１の上金網蓋１２上に連結チェーン３４を配置する（図１２乃至図１４参照）。
第三段目Ｄ３において、連結チェーン３４を第一及び第二金網籠群Ｂ１，Ｂ２外縁周に巻回した結束チューン２，２の夫々に連結する。連結チェーン３４は、第一分割円筒金網籠３１の上金網蓋１２上の各結束チェーン２，２の一部に連結される。
これにより、第三段目Ｄ３において、連結チェーン３４は、各金網籠群Ｂ１，Ｂ２を連結し、各円筒金網群１，１，…を一体化する。
【０１８７】
〈チェーン挟持工程：第二三段目Ｄ３〉
第三段目Ｄ３において、図２５乃至図２７に示すように、第一列Ｒ１の第一分割円筒金網籠３１に第二分割円筒金網籠３２を積載する。
第二分割円筒金網籠３１は、第一段目Ｄ１と同様、第一分割円筒籠３１に同心に配置される。
第二分割円筒金網籠３１は、図３６（ａ）で説明したと同様、第一分割円筒金網籠３１とで連結チェーン３４及び各結束チェーン２の一部を挟持する。
これにより、第三段目Ｄ３において、連結チェーン３４及び結束チェーン２，２の一部は、第二分割円筒金網籠３２の重量、即ち、第二分割円筒金網籠３２及び第二分割円筒金網籠３２に充填した割栗石（中詰材）の重量にて固定される。
第三段目Ｄ３の第一及び第二分割円筒金網籠３１，３２の重量は、第二段目Ｄ２の第二分割円筒金網籠３２に作用し、第一及び第二段目Ｄ１，Ｄ２の連結チェーン３４及び各結束チェーン２，２の一部を固定するのに役立つ。
また、第三段目Ｄ３（最上段）において、第一分割円筒金網籠３１に積載した第二分割円筒金網３２は、図２７に示すように、各吊下げ金属線材２５，１５を円筒金網体６３から上金網蓋１２上方に配置する。このとき、最上段において、各吊下げ金網線材２５，２５を切断して除去し、又は上金網蓋１２に向けて折曲げる。
【０１８８】
〈盛土工程：第三段目Ｄ３〉
第三段目Ｄ３において、図２５乃至図２７に示すように、第一列Ｒ１の各金網籠Ｂ１，Ｂ２の各円筒金網籠１，１，…背面及び積載した各分割円筒金網籠３１，３２の背面に盛土Ｎを施す。盛土Ｎは、第二段目Ｄ２の盛土Ｎに積載され、各円筒金網籠１，１，…及び積載した各分割円筒金網籠３１，３２の軸方向Ｇにおいて、上下金網蓋１２，１３に渡って施される。
【０１８９】
このように、法面構造工法Ｚ２は、各段Ｄ１，Ｄ２，Ｄ３において、法面補強体Ｘ２（図１１乃至図２０参照）を構成し、各法面補強体Ｘ２（第一列Ｒ１の各円筒金網籠１，１，…及び積載した各分割円筒金網籠３１，１２）背面に盛土Ｎを施してなる。
これにより、法面構造工法Ｚ２は、法面補強体Ｘ２を地盤Ｍ上に複数段積載し、法面構造Ｘ２を構築する。
【０１９０】
法面構造工法Ｚ２において、図２１（ａ）で説明したと同様、法面構造の規模に応じて、各段Ｄ１〜Ｄにおいて、３以上の金網籠群Ｂ１，Ｂ２，…を連結する構成も採用できる。
法面構造工法Ｚ２において、図２１（ｂ）で説明したと同様、一の金網籠群Ａ外縁周に複数本の結束チェーン２，２，…を巻回する構成も採用できる。
【産業上の利用可能性】
【０１９１】
本発明は、崩壊した河川護岸等の復旧（仮復旧又は本復旧）、及び法面構造を構築するのに最適である。
【符号の説明】
【０１９２】
Ｘ１  法面補強体
１  円筒金網籠
２  結束チェーン
３  チェーン締付具
４，３４  連結チェーン
Ａ  金網籠群
【図１】
2015193998.tif 000003
【図２】
2015193998.tif 000004
【図３】
2015193998.tif 000005
【図４】
2015193998.tif 000006
【図５】
2015193998.tif 000007
【図６】
2015193998.tif 000008
【図７】
2015193998.tif 000009
【図８】
2015193998.tif 000010
【図９】
2015193998.tif 000011
【図１０】
2015193998.tif 000012
【図１１】
2015193998.tif 000013
【図１２】
2015193998.tif 000014
【図１３】
2015193998.tif 000015
【図１４】
2015193998.tif 000016
【図１５】
2015193998.tif 000017
【図１６】
2015193998.tif 000018
【図１７】
2015193998.tif 000019
【図１８】
2015193998.tif 000020
【図１９】
2015193998.tif 000021
【図２０】
2015193998.tif 000022
【図２１】
2015193998.tif 000023
【図２２】
2015193998.tif 000024
【図２３】
2015193998.tif 000025
【図２４】
2015193998.tif 000026
【図２５】
2015193998.tif 000027
【図２６】
2015193998.tif 000028
【図２７】
2015193998.tif 000029
【図２８】
2015193998.tif 000030
【図２９】
2015193998.tif 000031
【図３０】
2015193998.tif 000032
【図３１】
2015193998.tif 000033
【図３２】
2015193998.tif 000034
【図３３】
2015193998.tif 000035
【図３４】
2015193998.tif 000036
【図３５】
2015193998.tif 000037
【図３６】
2015193998.tif 000038
【図３７】
2015193998.tif 000039